(57)【要約】本開示は、端末機器によって実行されるサービスノードの更新方法を開示し、当該方法は、サービスノードの更新中にソースノードとターゲットノードとの接続を同時に維持するための第１の接続配置情報と、ソースノードとの接続を解放してターゲットノードと接続するための第２の接続配置情報とを含む配置情報を受信すること、第１の接続配置情報を用いて、端末機器とソースノードの間のベアラが対応するレイヤ２プロトコルエンティティーを処理し、ベアラをソースノード分離型ベアラとして再配置すること、および、第２の接続配置情報を用いて、ベアラが対応するレイヤ２プロトコルエンティティーを処理し、ソースノード分離型ベアラをターゲットノードベアラとして再配置することを含む。【選択図】図１
2021533703.tif 000002
【特許請求の範囲】
【請求項１】
端末機器によって実行されるサービスノードの更新方法であって、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を受信すること、
前記第１の接続配置情報を用いて、前記端末機器と前記ソースノードの間のベアラが対応するレイヤ２プロトコルエンティティーを処理し、前記ベアラをソースノード分離型ベアラとして再配置すること、および、
前記第２の接続配置情報を用いて、前記ベアラが対応するレイヤ２プロトコルエンティティーを処理し、前記ソースノード分離型ベアラをターゲットノードベアラとして再配置することを含む、サービスノードの更新方法。
【請求項２】
前記第１の接続配置情報を用いて、前記端末機器と前記ソースノードの間のベアラが対応するレイヤ２プロトコルエンティティーを処理することは、
前記ソースノードのソースノードセルグループにおける前記ベアラのパケットデータコンバージェンスプロトコルＰＤＣＰエンティティーを再配置すること、
前記ソースノードセルグループにおける前記ベアラの無線リンク制御ＲＬＣエンティティーを不変のままに維持すること、
前記ソースノードセルグループにおける前記ベアラの媒体アクセス制御ＭＡＣエンティティーを不変のままに維持すること、
前記ターゲットノードのターゲットノードセルグループにおける前記ベアラのＲＬＣエンティティーを確立すること、および、
前記ターゲットノードセルグループにおける前記ベアラのＭＡＣエンティティーを確立すること、を含む、請求項１に記載のサービスノードの更新方法。
【請求項３】
前記第２の接続配置情報を用いて、前記ベアラが対応するレイヤ２プロトコルエンティティーを処理することは、
前記ソースノードのソースノードセルグループにおける前記ベアラのＰＤＣＰエンティティーを、前記ターゲットノードのターゲットノードセルグループにおけるＰＤＣＰエンティティーとして再配置すること、
前記ソースノードセルグループにおける前記ベアラのＲＬＣエンティティーを解放すること、
前記ソースノードセルグループにおける前記ベアラのＭＡＣエンティティーを解放すること、
前記ターゲットノードセルグループにおける前記ベアラのＲＬＣエンティティーを不変のままに維持すること、および、
前記ターゲットノードセルグループにおける前記ベアラのＭＡＣエンティティーを不変のままに維持すること、を含む、請求項１に記載のサービスノードの更新方法。
【請求項４】
前記ソースノードセルグループにおける前記ベアラのＲＬＣエンティティーを解放することは、
前記ＲＬＣエンティティーがロングタームエボリューションＬＴＥ仕様のＲＬＣエンティティーである場合、前記ＲＬＣエンティティーを再確立した後、前記ＲＬＣエンティティーを解放すること、および、
前記ＲＬＣエンティティーがニューラジオＮＲ仕様のＲＬＣエンティティーである場合、前記ＲＬＣエンティティーを直接に解放すること、のうちの少なくとも１つを含む、請求項３に記載のサービスノードの更新方法。
【請求項５】
前記端末機器によって前記第１の接続配置情報が既に用いられたかを示すための指示情報を前記ソースノードに送信することをさらに含む、請求項１〜４のいずれか１項に記載のサービスノードの更新方法。
【請求項６】
指示情報を前記ソースノードに送信することは、具体的に、
データパケットのＰＤＣＰサブヘッダーによって前記指示情報を前記ソースノードに送信することである、請求項５に記載のサービスノードの更新方法。
【請求項７】
指示情報を前記ソースノードに送信することは、具体的に、
前記第１の接続配置情報を用いて、前記端末機器と前記ソースノードの間のベアラが対応するレイヤ２プロトコルエンティティーを処理し、前記ベアラをソースノード分離型ベアラとして再配置した後、データパケットのＰＤＣＰサブヘッダーにおける指示情報を設定すること、および、
前記端末機器によって前記第１の接続配置情報が既に用いられたことを示すように、前記指示情報を前記ソースノードに送信することを含む、請求項５に記載のサービスノードの更新方法。
【請求項８】
前記ベアラが特定モードのベアラである場合、前記第２の接続配置情報を用いて、前記ベアラが対応するレイヤ２プロトコルエンティティーを処理し、前記ソースノード分離型ベアラをターゲットノードベアラとして再配置した後、前記サービスノードの更新方法は、
ＰＤＣＰ状態レポートを前記ターゲットノードに送信することをさらに含む、請求項１に記載のサービスノードの更新方法。
【請求項９】
ネットワーク側機器によって実行されるサービスノードの更新方法であって、
前記ネットワーク側機器がサービスノードの更新中のソースノードを含み、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を送信することを含む、サービスノードの更新方法。
【請求項１０】
配置情報を送信した後、前記サービスノードの更新方法は、
前記ソースノードが前記ターゲットノードに対して、
前記ソースノードのデータ送信状態を前記ターゲットノードに通知するための第１のソースノード状態変換メッセージと、
下りリンクデータ転送プロセスが対応するＰＤＣＰサービスデータユニットＳＤＵと、
前記ソースノードによってソースノード分離型ベアラから端末機器へ送信される、ソースノード分離型ベアラが対応する第１のＰＤＣＰプロトコルデータユニットＰＤＵと、のうちの少なくとも１つを送信することをさらに含む、請求項９に記載のサービスノードの更新方法。
【請求項１１】
前記ソースノードが前記ターゲットノードに対して前記下りリンクデータ転送プロセスが対応するＰＤＣＰサービスデータユニットＳＤＵを送信する前に、前記サービスノードの更新方法は、
前記ソースノードがソースノードとターゲットノードの間の、前記下りリンクデータ転送プロセスが対応するＰＤＣＰ  ＳＤＵをベアリングするための第１のチャネルを確立することをさらに含む、請求項１０に記載のサービスノードの更新方法。
【請求項１２】
前記ソースノードが前記ターゲットノードに対して前記ソースノード分離型ベアラが対応するＰＤＣＰプロトコルデータユニットＰＤＵを送信する前に、前記サービスノードの更新方法は、
前記ソースノードがソースノードとターゲットノードの間の、ソースノード分離型ベアラが対応するＰＤＣＰ  ＰＤＵをベアリングするための第２のチャネルを確立することをさらに含む、請求項１０に記載のサービスノードの更新方法。
【請求項１３】
配置情報を送信した後、前記サービスノードの更新方法は、
前記ソースノードが端末機器によって前記第１の接続配置情報が既に用いられたかを示すための指示情報を受信することをさらに含む、請求項９に記載のサービスノードの更新方法。
【請求項１４】
前記ソースノードが指示情報を受信した後、前記サービスノードの更新方法は、
前記端末機器によって前記第１の接続配置情報が既に用いられたことを指示情報が示した場合、前記ソースノードが前記ソースノードのデータ受信状態を前記ターゲットノードに通知するための第２のソースノード状態変換メッセージを前記ターゲットノードに送信するとともに、ソースノード分離型ベアラから受信したデータを前記ターゲットノードに転送することをさらに含む、請求項１３に記載のサービスノードの更新方法。
【請求項１５】
配置情報を送信した後、前記サービスノードの更新方法は、
前記ソースノードは、端末機器のＰＤＣＰ受信状態情報を前記ターゲットノードに送信することをさらに含む、請求項９に記載のサービスノードの更新方法。
【請求項１６】
前記ソースノードが端末機器のＰＤＣＰ受信状態情報を前記ターゲットノードに送信する前に、前記サービスノードの更新方法は、
前記ソースノードが、ＭＡＣレイヤのハイブリッド自動再送要求ＨＡＲＱ情報、および、ＲＬＣレイヤが受信したＲＬＣ状態レポートのうちの少なくとも１つに基づいて、端末機器の前記ＰＤＣＰ受信状態情報を特定することをさらに含む、請求項１５に記載のサービスノードの更新方法。
【請求項１７】
前記ネットワーク側機器は、多接続アーキテクチャにおける一次ノードＭＮをさらに含む、請求項９に記載のサービスノードの更新方法。
【請求項１８】
サービスノードの更新中のターゲットノードを含むネットワーク側機器によって実行されるサービスノードの更新方法であって、
サービスノードの更新中にソースノードから送信された第１のソースノード状態変換メッセージと、ソースノード分離型ベアラから受信した第１のＰＤＣＰ  ＰＤＵを受信すること、
前記第１のソースノード状態変換メッセージと前記第１のＰＤＣＰ  ＰＤＵに基づいて、前記ターゲットノードにおけるＰＤＣＰエンティティーを送信する送信状態を更新すること、
前記ソースノードから送信された第２のソースノード状態変換メッセージと、ターゲットベアラから受信した第２のＰＤＣＰ  ＰＤＵを受信すること、および、
前記第２のソースノード状態変換メッセージと前記第２のＰＤＣＰ  ＰＤＵに基づいて、前記ターゲットノードにおけるＰＤＣＰエンティティーを受信する受信状態を更新すること、を含む、サービスノードの更新方法。
【請求項１９】
前記ソースノードから送信されてきた端末機器のＰＤＣＰ受信状態情報を受信すること、および、
端末機器から送信されてきたＰＤＣＰ状態レポートを受信すること、のうちの少なくとも１つをさらに含む、請求項１８に記載のサービスノードの更新方法。
【請求項２０】
前記ＰＤＣＰ受信状態情報と前記ＰＤＣＰ状態レポートのうちの少なくとも１つに基づいて、前記端末機器によって成功に受信されていないデータを、前記端末機器に対して再送信することをさらに含む、請求項１９に記載のサービスノードの更新方法。
【請求項２１】
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を受信するための配置メッセージ受信モジュールと、
前記第１の接続配置情報を用いて、端末機器と前記ソースノードの間のベアラが対応するレイヤ２プロトコルエンティティーを処理し、前記ベアラをソースノード分離型ベアラとして再配置するための第１の再配置モジュールと、
前記第２の接続配置情報を用いて、前記ベアラが対応するレイヤ２プロトコルエンティティーを処理し、前記ソースノード分離型ベアラをターゲットノードベアラとして再配置するための第２の再配置モジュールと、を備えた、端末機器。
【請求項２２】
前記第１の再配置モジュールは、
前記ソースノードのソースノードセルグループにおける前記ベアラのパケットデータコンバージェンスプロトコルＰＤＣＰエンティティーを再配置するための第１の再配置ユニットと、
前記ソースノードセルグループにおける前記ベアラの無線リンク制御ＲＬＣエンティティーを不変のままに維持するための第１の維持ユニットと、
前記ソースノードセルグループにおける前記ベアラの媒体アクセス制御ＭＡＣエンティティーを不変のままに維持するための第２の維持ユニットと、
前記ターゲットノードのターゲットノードセルグループにおける前記ベアラのＲＬＣエンティティーを確立するための第１の確立ユニットと、
前記ターゲットノードセルグループにおける前記ベアラのＭＡＣエンティティーを確立するための第２の確立ユニットと、を含む、請求項２１に記載の端末機器。
【請求項２３】
前記第２の再配置モジュールは、
前記ソースノードのソースノードセルグループにおける前記ベアラのＰＤＣＰエンティティーを、前記ターゲットノードのターゲットノードセルグループにおけるＰＤＣＰエンティティーとして再配置するための第２の再配置ユニットと、
前記ソースノードセルグループにおける前記ベアラのＲＬＣエンティティーを解放するための第１の解放ユニットと、
前記ソースノードセルグループにおける前記ベアラのＭＡＣエンティティーを解放するための第２の解放ユニットと、
前記ターゲットノードセルグループにおける前記ベアラのＲＬＣエンティティーを不変のままに維持するための第３の維持ユニットと、
前記ターゲットノードセルグループにおける前記ベアラのＭＡＣエンティティーを不変のままに維持するための第４の維持ユニットと、を含む、請求項２１に記載の端末機器。
【請求項２４】
前記第１の解放ユニットは、
前記ＲＬＣエンティティーがロングタームエボリューションＬＴＥ仕様のＲＬＣエンティティーである場合、前記ＲＬＣエンティティーを再確立した後、前記ＲＬＣエンティティーを解放するための再確立・解放サブユニット、および、
前記ＲＬＣエンティティーがニューラジオＮＲ仕様のＲＬＣエンティティーである場合、前記ＲＬＣエンティティーを直接に解放するための直接解放サブユニット、のうちの少なくとも１つを含む、請求項２３に記載の端末機器。
【請求項２５】
前記端末機器によって前記第１の接続配置情報が既に用いられたかを示すための指示情報を前記ソースノードに送信するための指示情報送信モジュールをさらに備えた、請求項２１〜２４のいずれか１項に記載の端末機器。
【請求項２６】
前記指示情報送信モジュールは、具体的に、
データパケットのＰＤＣＰサブヘッダーによって前記指示情報を前記ソースノードに送信するために用いられる、請求項２５に記載の端末機器。
【請求項２７】
前記指示情報送信モジュールは、具体的に、
前記第１の接続配置情報を用いて、前記端末機器と前記ソースノードの間のベアラが対応するレイヤ２プロトコルエンティティーを処理し、前記ベアラをソースノード分離型ベアラとして再配置した後、データパケットのＰＤＣＰサブヘッダーにおける指示情報を設定するための指示情報設定ユニットと、
前記端末機器によって前記第１の接続配置情報が既に用いられたことを示すように、前記指示情報を前記ソースノードに送信するための指示情報送信ユニットとを含む、請求項２５に記載の端末機器。
【請求項２８】
前記ベアラが特定モードのベアラである場合、
ＰＤＣＰ状態レポートを前記ターゲットノードに送信するための状態レポート送信モジュールをさらに備えた、請求項２１に記載の端末機器。
【請求項２９】
サービスノードの更新中のソースノードを含み、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を送信するための配置情報送信モジュールをさらに含む、ネットワーク側機器。
【請求項３０】
前記ソースノードは、さらに、
前記ソースノードのデータ送信状態を前記ターゲットノードに通知するための第１のソースノード状態変換メッセージを、前記ターゲットノードに送信するための第１のソースノード状態変換メッセージ送信モジュールと、
下りリンクデータ転送プロセスが対応するＰＤＣＰサービスデータユニットＳＤＵを、前記ターゲットノードに送信するためのＰＤＣＰ  ＳＤＵ転送モジュールと、
前記ソースノードによってソースノード分離型ベアラから端末機器へ送信される、ソースノード分離型ベアラが対応する第１のＰＤＣＰプロトコルデータユニットＰＤＵを前記ターゲットノードに送信するためのＰＤＣＰ  ＰＤＵ送信モジュールと、を含む、請求項２９に記載のネットワーク側機器。
【請求項３１】
前記ソースノードは、さらに、
ソースノードとターゲットノードの間の、下りリンクデータ転送プロセスが対応するＰＤＣＰ  ＳＤＵをベアリングするための第１のチャネルを確立するための第１のチャネル確立モジュールを含む、請求項３０に記載のネットワーク側機器。
【請求項３２】
前記ソースノードは、さらに、
ソースノードとターゲットノードの間の、ソースノード分離型ベアラが対応するＰＤＣＰ  ＰＤＵをベアリングするための第２のチャネルを確立するための第２のチャネル確立モジュールを含む、請求項３０に記載のネットワーク側機器。
【請求項３３】
前記ソースノードは、さらに、
端末機器によって前記第１の接続配置情報が既に用いられたかを示すための指示情報を受信するための指示情報受信モジュールを含む、請求項２９に記載のネットワーク側機器。
【請求項３４】
前記ソースノードは、さらに、
前記端末機器によって前記第１の接続配置情報が既に用いられたことを指示情報が示した場合、第２のソースノード状態変換メッセージを前記ターゲットノードに送信するための第２のソースノード変換メッセージ送信モジュールと、
前記端末機器によって前記第１の接続配置情報が既に用いられたことを指示情報が示した場合、ソースノード分離型ベアラから受信したデータを前記ターゲットノードに転送するための受信データ転送モジュールと、を含み、
前記第２のソースノード状態変換メッセージは、前記ソースノードのデータ受信状態を前記ターゲットノードに通知するためのものである、請求項３３に記載のネットワーク側機器。
【請求項３５】
前記ソースノードは、さらに、
端末機器のＰＤＣＰ受信状態情報を前記ターゲットノードに送信するための受信状態情報送信モジュールを含む、請求項２９に記載のネットワーク側機器。
【請求項３６】
前記ソースノードは、さらに、
ＭＡＣレイヤのハイブリッド自動再送要求ＨＡＲＱ情報、および、ＲＬＣレイヤが受信したＲＬＣ状態レポートのうちの少なくとも１つに基づいて、端末機器の前記ＰＤＣＰ受信状態情報を特定するための受信状態情報特定モジュールを含む、請求項３５に記載のネットワーク側機器。
【請求項３７】
多接続アーキテクチャにおける一次ノードＭＮをさらに含む、請求項２９に記載のネットワーク側機器。
【請求項３８】
サービスノードの更新中のターゲットノードを含み、
サービスノードの更新中にソースノードから送信された第１のソースノード状態変換メッセージと、ソースノード分離型ベアラから受信した第１のＰＤＣＰ  ＰＤＵを受信するための第１のソースノード状態変換メッセージおよびＰＤＣＰ  ＰＤＵ受信モジュールと、
前記第１のソースノード状態変換メッセージと前記第１のＰＤＣＰ  ＰＤＵに基づいて、前記ターゲットノードにおけるＰＤＣＰエンティティーを送信する送信状態を更新するための送信状態更新モジュールと、
前記ソースノードから送信された第２のソースノード状態変換メッセージと、ターゲットベアラから受信した第２のＰＤＣＰ  ＰＤＵを受信するための第２のソースノード状態変換メッセージおよびＰＤＣＰ  ＰＤＵ受信モジュールと、
前記第２のソースノード状態変換メッセージと前記第２のＰＤＣＰ  ＰＤＵに基づいて、前記ターゲットノードにおけるＰＤＣＰエンティティーを受信する受信状態を更新するための受信状態更新モジュールと、を含む、ネットワーク側機器。
【請求項３９】
前記ソースノードから送信されてきた端末機器のＰＤＣＰ受信状態情報を受信するための受信状態情報受信ユニット、および、
端末機器から送信されてきたＰＤＣＰ状態レポートを受信するための状態レポート受信ユニット、のうちの少なくとも１つをさらに含む、請求項３８に記載のネットワーク側機器。
【請求項４０】
前記ＰＤＣＰ受信状態情報と前記ＰＤＣＰ状態レポートのうちの少なくとも１つに基づいて、前記端末機器によって成功に受信されていないデータを、前記端末機器に対して再送信するためのデータ再送信モジュールをさらに含む、請求項３９に記載のネットワーク側機器。
【請求項４１】
メモリと、プロセッサと、前記メモリに記憶されているとともに、前記プロセッサにて運行できるコンピュータプログラムと、を含み、
前記コンピュータプログラムが前記プロセッサによって実行される時、請求項１〜８のいずれか１項に記載のサービスノードの更新方法のステップを実現させる、端末機器。
【請求項４２】
コンピュータプログラムが記憶されており、前記コンピュータプログラムがプロセッサによって実行される時、請求項１〜８のいずれか１項に記載のサービスノードの更新方法のステップを実現させる、コンピュータ読取可能な記憶媒体。
【請求項４３】
メモリと、プロセッサと、前記メモリに記憶されているとともに、前記プロセッサにて運行できるコンピュータプログラムと、を含み、
前記コンピュータプログラムが前記プロセッサによって実行される時、請求項９〜１７のいずれか１項に記載のサービスノードの更新方法のステップを実現させる、ネットワーク側機器。
【請求項４４】
コンピュータプログラムが記憶されており、前記コンピュータプログラムがプロセッサによって実行される時、請求項９〜１７のいずれか１項に記載のサービスノードの更新方法のステップを実現させる、コンピュータ読取可能な記憶媒体。
【請求項４５】
メモリと、プロセッサと、前記メモリに記憶されているとともに、前記プロセッサにて運行できるコンピュータプログラムと、を含み、
前記コンピュータプログラムが前記プロセッサによって実行される時、請求項１８〜２０のいずれか１項に記載のサービスノードの更新方法のステップを実現させる、ネットワーク側機器。
【請求項４６】
コンピュータプログラムが記憶されており、前記コンピュータプログラムがプロセッサによって実行される時、請求項１８〜２０のいずれか１項に記載のサービスノードの更新方法のステップを実現させる、コンピュータ読取可能な記憶媒体。
【発明の詳細な説明】
【技術分野】
【０００１】
（関連出願の相互参照）
本出願は、２０１８年８月１７日に中国で提出された特許出願Ｎｏ．２０１８１０９４２８７８．５を基礎として、この出願から優先の利益を享受する。同出願の内容の全ては、ここに参照として取り込まれる。
本開示は、通信分野に関し、特に、サービスノードの更新方法、端末機器、および、ネットワーク側機器に関する。
【背景技術】
【０００２】
関連する移動通信システムでは、端末機器が１つのセル（すなわち、基地局のカバー範囲）から別のセルに移動している場合、又は、外部干渉により、セル内の通信品質が低下した場合、端末機器による通信を維持するために、通常、サービスノードを交換する必要がある。サービスノードを更新する際、端末機器は、ソースノードとの接続を先に切断する必要があり、さもなければ、ターゲットノードとの新たな接続を確立することができない。そのため、そのようなサービスノードの更新方式では、ユーザ側のデータ中断が発生し、ユーザ体験に影響を与えることがある。
【０００３】
移動通信技術の発展に伴い、５Ｇ（５Ｇｅｎｅｒａｔｉｏｎ、第５世代）移動通信システムが登場する。無線リソース利用率を高め、システムの切り替え遅延を低減し、さらに、ユーザ・システム性能を向上させるために、５Ｇシステムにおいて、端末機器（ユーザ機器ＵＥとも呼ばれる）は、二重接続ＤＣ（Ｄｕａｌ  Ｃｏｎｎｅｃｔｉｖｉｔｙ）アーキテクチャが用いられてもよい。端末機器の多接続能力を基にしてサービスノードの更新を実現することにより、ユーザ側のデータ連続無中断が確保され、低遅延業務データのサービス要求に適合した。
【０００４】
そのため、サービスノードの更新中のデータ無線ベアラが対応するレイヤ２プロトコルエンティティー（Ｌａｙｅｒ  Ｔｗｏ  Ｐｒｏｔｏｃｏｌ  Ｅｎｔｉｔｙ）を処理するためのサービスノードの更新方法を提供するという課題がある。
【発明の概要】
【発明が解決しようとする課題】
【０００５】
本開示の実施例は、ユーザ側のデータがサービスノードの更新中に連続無中断の状態のままになるように、サービスノードの更新中のデータ無線ベアラが対応するレイヤ２プロトコルエンティティーを処理するための、サービスノードの更新方法、端末機器、及び、ネットワーク側機器を提供することを目的にしている。
【課題を解決するための手段】
【０００６】
第１の態様では、端末機器によって実行されるサービスノードの更新方法であって、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を受信すること、
前記第１の接続配置情報を用いて、前記端末機器と前記ソースノードの間のベアラが対応するレイヤ２プロトコルエンティティーを処理し、前記ベアラをソースノード分離型ベアラとして再配置すること、および、
【０００７】
前記第２の接続配置情報を用いて、前記ベアラが対応するレイヤ２プロトコルエンティティーを処理し、前記ソースノード分離型ベアラをターゲットノードベアラとして再配置することを含む方法を提供する。
【０００８】
第２の態様では、サービスノードの更新中のソースノードを含むネットワーク側機器によって実行されるサービスノードの更新方法であって、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を送信することを含む、方法。
【０００９】
第３の態様では、サービスノードの更新中のターゲットノードを含むネットワーク側機器によって実行されるサービスノードの更新方法であって、
サービスノードの更新中にソースノードから送信された第１のソースノード状態変換メッセージと、ソースノード分離型ベアラから受信した第１のＰＤＣＰ  ＰＤＵを受信すること、
前記第１のソースノード状態変換メッセージと前記第１のＰＤＣＰ  ＰＤＵに基づいて、前記ターゲットノードにおけるＰＤＣＰエンティティーを送信する送信状態を更新すること、
前記ソースノードから送信された第２のソースノード状態変換メッセージと、ターゲットベアラから受信した第２のＰＤＣＰ  ＰＤＵを受信すること、および、
前記第２のソースノード状態変換メッセージと前記第２のＰＤＣＰ  ＰＤＵに基づいて、前記ターゲットノードにおけるＰＤＣＰエンティティーを受信する受信状態を更新すること、を含む方法を提供する。
【００１０】
第４の態様では、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を受信するための配置メッセージ受信モジュールと、
前記第１の接続配置情報を用いて、前記端末機器と前記ソースノードの間のベアラが対応するレイヤ２プロトコルエンティティーを処理し、前記ベアラをソースノード分離型ベアラとして再配置するための第１の再配置モジュールと、
前記第２の接続配置情報を用いて、前記ベアラが対応するレイヤ２プロトコルエンティティーを処理し、前記ソースノード分離型ベアラをターゲットノードベアラとして再配置するための第２の再配置モジュールと、を備えた端末機器を提供する。
【００１１】
第５の態様では、サービスノードの更新中のソースノードを含み、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を送信するための配置情報送信モジュールをさらに含むネットワーク側機器を提供する。
【００１２】
第６の態様では、サービスノードの更新中のターゲットノードを含み、
サービスノードの更新中にソースノードから送信された第１のソースノード状態変換メッセージと、ソースノード分離型ベアラから受信した第１のＰＤＣＰ  ＰＤＵを受信するための第１のソースノード状態変換メッセージおよびＰＤＣＰ  ＰＤＵ受信モジュールと、
前記第１のソースノード状態変換メッセージと前記第１のＰＤＣＰ  ＰＤＵに基づいて、前記ターゲットノードにおけるＰＤＣＰエンティティーを送信する送信状態を更新するための送信状態更新モジュールと、
前記ソースノードから送信された第２のソースノード状態変換メッセージと、ターゲットベアラから受信した第２のＰＤＣＰ  ＰＤＵを受信するための第２のソースノード状態変換メッセージおよびＰＤＣＰ  ＰＤＵ受信モジュールと、
前記第２のソースノード状態変換メッセージと前記第２のＰＤＣＰ  ＰＤＵに基づいて、前記ターゲットノードにおけるＰＤＣＰエンティティーを受信する受信状態を更新するための受信状態更新モジュールと、を含むネットワーク側機器を提供する。
【００１３】
第７の態様では、メモリと、プロセッサと、前記メモリに記憶されているとともに、前記プロセッサにて運行できるコンピュータプログラムと、を含み、前記コンピュータプログラムが前記プロセッサによって実行される時、第１の態様に記載のような方法のステップを実現させる端末機器を提供する。
【００１４】
第８の態様では、コンピュータプログラムが記憶されており、前記コンピュータプログラムがプロセッサによって実行される時、第１の態様に記載のような方法のステップを実現させる、コンピュータ読取可能な記憶媒体を提供する。
【００１５】
第９の態様では、メモリと、プロセッサと、前記メモリに記憶されているとともに、前記プロセッサにて運行できるコンピュータプログラムと、を含み、前記コンピュータプログラムが前記プロセッサによって実行される時、第２の態様に記載のような方法のステップを実現させるネットワーク側機器を提供する。
【００１６】
第１０の態様では、コンピュータプログラムが記憶されており、前記コンピュータプログラムがプロセッサによって実行される時、第２の態様に記載のような方法のステップを実現させる、コンピュータ読取可能な記憶媒体を提供する。
【００１７】
第１１の態様では、メモリと、プロセッサと、前記メモリに記憶されているとともに、前記プロセッサにて運行できるコンピュータプログラムと、を含み、前記コンピュータプログラムが前記プロセッサによって実行される時、第３の態様に記載のような方法のステップを実現させる、ネットワーク側機器を提供する。
【００１８】
第１２の態様では、コンピュータプログラムが記憶されており、前記コンピュータプログラムがプロセッサによって実行される時、第３の態様に記載のような方法のステップを実現させる、コンピュータ読取可能な記憶媒体を提供する。
【発明の効果】
【００１９】
本開示の実施例では、端末機器は、配置情報を受信した後、サービスノードの更新中にソースノードとターゲットノードとの接続を同時に維持するための第１の接続配置情報を用いて、端末機器とソースノードの間のベアラをソースノード分離型ベアラとして再配置するとともに、ソースノードとの接続を解放してターゲットノードと接続するための第２の接続配置情報を用いて、ソースノード分離型ベアラをターゲットノードベアラとして再配置する。そのため、サービスノードの更新中、本開示の実施例が提供する方案によれば、ソースノード分離型ベアラを用いることにより、サービスノードの更新期間において端末機器がソースノードとの接続を切断する必要がなく、ターゲットノードへと成功に更新してから、ソースノードとの接続を切断することができ、そのため、ユーザ側のデータの連続無中断を実現することが可能となる。
【００２０】
ここに説明した添付図面は、本開示に対する更なる理解を与えるためのものであり、本開示の一部を構成した。本開示の例示的な実施例及びその説明は、本開示を解釈するためのものであり、本開示に対する不適切な限定を構成しない。
【図面の簡単な説明】
【００２１】
【図１】本開示の実施例が提供する端末機器によって実行されるサービスノードの更新方法のフローチャートである。
【図２】本開示の実施例が提供するソースノードによって実行されるサービスノードの更新方法のフローチャートである。
【図３】本開示の実施例が提供するソースノードによって実行されるサービスノードの更新方法の別のフローチャートである。
【図４】本開示の実施例が提供するソースノードによって実行されるサービスノードの更新方法の更に別のフローチャートである。
【図５】本開示の実施例が提供するターゲットノードによって実行されるサービスノードの更新方法のフローチャートである。
【図６】本開示の実施例におけるサービスノードの更新中の下りリンクデータのリンク概略図である。
【図７】本開示の実施例におけるサービスノードの更新中の上りリンクデータのリンク概略図である。
【図８】本開示の実施例が提供する端末機器の構造概略図である。
【図９】本開示の実施例が提供するネットワーク側機器の構造概略図である。
【図１０】本開示の実施例が提供する別のネットワーク側機器の構造概略図である。
【図１１】本開示の実施例が提供する別の端末機器の構造概略図である。
【図１２】本開示の実施例が提供するさらに別のネットワーク側機器の構造概略図である。
【発明を実施するための形態】
【００２２】
以下は、本開示の実施例における添付図面を結び付けながら、本開示の実施例の技術案を明確かつ完全に説明する。明らかに、記載された実施例は本開示の一部の実施例であり、全部の実施例ではない。本開示の実施例を基に、当業者が創造的な労力を払わないことを前提として得られる全ての他の実施例はいずれも、本開示の保護範囲に属する。
【００２３】
本開示の技術案は、種々の通信システムに適用されることが可能である。例えば、グローバル移動通信システム（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）／拡張ロングタームエボリューション（ＬＴＥ−Ａ、Ｌｏｎｇ  Ｔｅｒｍ  Ｅｖｏｌｕｔｉｏｎ  ａｄｖａｎｃｅｄ）、ＮＲ  （Ｎｅｗ  Ｒａｄｉｏ）などが挙げられる。
【００２４】
ユーザ端末（ＵＥ、Ｕｓｅｒ  Ｅｑｕｉｐｍｅｎｔ）（端末機器（Ｍｏｂｉｌｅ  Ｔｅｒｍｉｎａｌ）、移動端末機器などに呼ばれてもよい）は、無線アクセスネットワーク（例えば、ＲＡＮ、Ｒａｄｉｏ  Ａｃｃｅｓｓ  Ｎｅｔｗｏｒｋ）を介して１つ又は複数のコアネットワークと通信することが可能となる。端末機器は、携帯電話（又は「セルラ」電話とも呼ばれる）や端末機器を有するコンピュータのような端末機器であってもよい。例えば、携帯型、ポケットサイズ型、ハンドヘルド型、コンピュータ内蔵型又は車載型の移動装置であってもよく、それらは、無線アクセスネットワークとの言語及び／又はデータの交換を行う。
【００２５】
基地局は、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、ＬＴＥにおける進化型基地局（ｅＮＢ又はｅ−ＮｏｄｅＢ、ｅｖｏｌｕｔｉｏｎａｌ  Ｎｏｄｅ  Ｂ）及び５Ｇ基地局（ｇＮＢ）であってもよいが、本開示は、限定されないが、説明の便宜上、下記実施例では、ｇＮＢを例として説明する。
【００２６】
関連する移動通信システムでは、端末機器は、単一接続ＳＣ（Ｓｉｎｇｌｅ  Ｃｏｎｎｅｃｔｉｖｉｔｙ）アーキテクチャが用いられ、端末機器が１つのセル（すなわち、基地局のカバー範囲）から別のセルに移動している場合、又は、外部干渉により、セル内の通信品質が低下した場合、端末機器による通信を維持するために、通常、サービスノードを交換する必要がある。サービスノードを更新する際、端末機器は、ソースノードとの接続を先に切断する必要があり、さもなければ、ターゲットノードとの新たな接続を確立することができない。そのため、そのようなサービスノードの更新方式では、ユーザ側のデータ中断が発生し、ユーザ体験に影響を与えることがある。
【００２７】
５Ｇシステムにおいて、端末機器（ユーザ機器ＵＥとも呼ばれる）は、無線リソース利用率を高め、システムの切り替え遅延を低減するように、二重接続ＤＣ（Ｄｕａｌ  Ｃｏｎｎｅｃｔｉｖｉｔｙ）アーキテクチャが用いられることにより、ユーザ・システム性能を向上した。二重接続ＤＣアーキテクチャは、一次セルグループＭＣＧ（Ｍａｓｔｅｒ  Ｃｅｌｌ  Ｇｒｏｕｐが全称）と二次セルグループＳＣＧ（Ｓｅｃｏｎｄａｒｙ  Ｃｅｌｌ  Ｇｒｏｕｐが全称）との２つのセルグループを含み、一次セルグループＭＣＧはネットワーク側の一次ノードＭＮ（Ｍａｓｔｅｒ  Ｎｏｄｅが全称）に対応し、二次セルグループＳＣＧはネットワーク側の二次ノードＳＮ（Ｓｅｃｏｎｄａｒｙ  Ｎｏｄｅが全称）に対応する。さらに、一次セルグループＭＣＧは、一次セルＰＣｅｌｌ（Ｐｒｉｍａｒｙ  Ｃｅｌｌが全称）と二次セルＳＣｅｌｌ（Ｓｅｃｏｎｄａｒｙ  Ｃｅｌｌが全称）を含み、二次セルグループＳＣＧは、主二次セルＰＳＣｅｌｌ（Ｐｒｉｍａｒｙ  Ｓｅｃｏｎｄａｒｙ  Ｃｅｌｌが全称）と二次セル（Ｓｅｃｏｎｄａｒｙ  Ｃｅｌｌ、ＳＣｅｌｌ）を含む。ただし、一次セルＰＣｅｌｌと主二次セルＰＳＣｅｌｌは、特別セルＳｐＣｅｌｌ（Ｓｐｅｃｉａｌ  Ｃｅｌｌが全称、一次セルグループＭＣＧまたは二次セルグループＳＣＧにおける一次セルＰＣｅｌｌを意味する）として総称されてもよい。
【００２８】
そのため、５Ｇシステムにおいて、端末機器の多接続能力を基にしてサービスノードの更新を実現することができ、それにより、サービスノードの更新期間において端末機器は、ソースノードとの接続を切断する必要がなく、ターゲットノードへと更新を成功してから、ソースノードとの接続をさらに切断することができ、そのため、ユーザ側のデータの連続無中断を実現することが可能となる。
【００２９】
上記目的を達成するために、本開示の実施例が提供するサービスノードの更新方法では、ユーザ側のデータの連続無中断を確保するように、サービスノードの更新中のデータ無線ベアラが対応するレイヤ２プロトコルエンティティーに対する処理方式が与えられる。
【００３０】
以下は、添付図面を組み合わせながら、本開示の各実施例が提供する技術案を詳しく説明する。
【００３１】
図１に示されるように、本開示の実施例は、端末機器によって実行されるサービスノードの更新方法を提供する。当該方法において、下記のステップが含まれてもよい。
【００３２】
ステップ１０１：配置情報を受信すること。
【００３３】
ここに説明すべきなのは、本開示の実施例が提供するサービスノードの更新方法は、サービスノードの更新を必要とした種々のシーンに適用される。例えば、サービスノードの切り替え（Ｈａｎｄｏｖｅｒ）を行う場合、又は、二次ノードの交換（ＳＮ  ｃｈａｎｇｅ）を行う場合などが考えられる。具体的には、サービスノードの切り替え（Ｈａｎｄｏｖｅｒ）を行うシーンでは、ソースノードは、具体的に、ソース基地局であってもよく、ターゲットノードは、具体的に、ターゲット基地局であってもよい。二次ノードの交換（ＳＮ  ｃｈａｎｇｅ）を行うシーンでは、ソースノードは、具体的に、ソース二次ノードＳＮであってもよく、ターゲットノードは、具体的に、ターゲット二次ノードＳＮであってもよい。理解すべきなのは、サービスノードの更新前の端末機器の接続アーキテクチャによって、サービスノードの更新を行うネットワーク側機器が異なる可能性がある。
【００３４】
例えば、サービスノードの更新前に、端末機器が１つのサービスノードのみに接続された場合（そのとき、端末機器が単一接続アーキテクチャを有するものとして理解されてもよい）、ソースノード（具体的に、ソース基地局であってもよい）によって、配置情報を端末機器に発行する。
【００３５】
さらに、例えば、サービスノードの更新前に、端末機器が２つのサービスノードに接続された場合（そのとき、端末機器が多接続アーキテクチャを有するものとして理解されてもよい）、２つのノードのうちの一次ノードＭＮによって、配置情報を発行してもよい。仮に、２つのノードのうちの二次ノードＳＮと端末機器の間には、シグナルリソースベアラ３  ＳＲＢ３（Ｓｉｇｎａｌ  Ｒｅｓｏｕｒｃｅ  Ｂｅａｒｅｒ  ３が全称）が既に確立された場合、当該二次ノードＳＮは、配置情報を端末機器に直接に発行することで、二次ノードの交換（ＳＮ  ｃｈａｎｇｅ）を行ってもよい。
【００３６】
そのため、相応に、端末機器が受信した配置情報は、端末機器との接続が確立されたソースノード、例えば、ソース基地局又はソース二次ノードＳＮからのものであってもよく、多接続アーキテクチャにおける一次ノードＭＮからのものであってもよい。
【００３７】
さらに説明すべきなのは、ネットワーク側機器（具体的には、ソースノードまたは多接続アーキテクチャにおける一次ノードＭＮ）から端末機器へ送信される配置情報は、無線リソース制御ＲＲＣ（Ｒａｄｉｏ  Ｒｅｓｏｕｒｃｅ  Ｃｏｎｔｒｏｌが全称）メッセージの形式で送信されてもよい。相応に、端末機器が受信した配置情報は、同様に、ＲＲＣメッセージの形式で受信されたものである。
【００３８】
理解すべきなのは、ネットワーク側機器から端末機器へ送信される配置情報は、端末機器のデータ無線ベアラＤＲＢ（Ｄａｔａ  Ｒａｄｉｏ  Ｂｅａｒｅｒが全称）を再配置するために用いられるので、当該配置情報は、再配置情報と呼ばれてもよい。ネットワーク側機器が配置情報を送信することによって発起した配置プロセスは、再配置プロセスと呼ばれてもよい。
【００３９】
本開示の実施例では、端末機器がステップ１０１を実行して受信した配置情報には、サービスノードの更新中にソースノードとターゲットノードとの接続を同時に維持するための第１の接続配置情報と、ソースノードとの接続を解放してターゲットノードと接続するための第２の接続配置情報とを含む。以下は、端末機器が配置情報に基づいてサービスノードの更新を行うことについての具体的なプロセスを詳しく説明する。
【００４０】
ステップ１０３：第１の接続配置情報を用いて、端末機器と前記ソースノードの間のベアラが対応するレイヤ２プロトコルエンティティーを処理し、ベアラをソースノード分離型ベアラとして再配置すること。
【００４１】
端末機器は、ネットワーク側機器から発行された配置情報（ＲＲＣ再配置メッセージとも呼ばれる）を受信した後、第１の接続配置情報を用いて再配置し、端末機器とソースノードの間のベアラ（具体的には、データ無線ベアラＤＲＢ）をソースノード分離型ベアラとして再配置することができる。この再配置プロセスでは、端末機器は、当該ベアラが対応するレイヤ２プロトコルエンティティーに対して、以下のような処理をしてもよい。
【００４２】
ソースノードのソースノードセルグループにおけるベアラのパケットデータコンバージェンスプロトコルＰＤＣＰエンティティーを再配置する。
【００４３】
ソースノードセルグループにおけるベアラの無線リンク制御ＲＬＣエンティティーを不変のままに維持する。
【００４４】
ソースノードセルグループにおけるベアラの媒体アクセス制御ＭＡＣエンティティーを不変のままに維持する。
【００４５】
ターゲットノードのターゲットノードセルグループにおけるベアラのＲＬＣエンティティーを確立する。
【００４６】
ターゲットノードセルグループにおけるベアラのＭＡＣエンティティーを確立する。
【００４７】
理解すべきなのは、上記第１の接続配置情報に基づく端末機器とソースノードの間のベアラに対する再配置のプロセスでは、端末機器は、ソースノードセルグループにおける当該ベアラのパケットデータコンバージェンスプロトコルＰＤＣＰ（Ｐａｃｋｅｔ  Ｄａｔａ  Ｃｏｎｖｅｒｇｅｎｃｅ  Ｐｒｏｔｏｃｏｌが全称）エンティティーを再配置する。選択的に、ＰＤＣＰエンティティーに対する再配置は、ＰＤＣＰエンティティーに対して第１の接続配置情報に運ばれた分離型ベアラ閾値を応用することにより、ＰＤＣＰエンティティーがソースノード分離型ベアラにおいて分離型ベアラ閾値に基づいて、データの送受信を行うためにソースノードを使用するか、ターゲットノードかを使用するかを決定することができるようにされてもよい。
【００４８】
上記第１の接続配置情報に基づく端末機器とソースノードの間のベアラに対する再配置のプロセスでは、端末機器は、ソースノードセルグループにおける当該ベアラの無線リンク制御ＲＬＣ（Ｒａｄｉｏ  Ｌｉｎｋ  Ｃｏｎｔｒｏｌが全称）エンティティーに対しても、ソースノードセルグループにおけるベアラの媒体アクセス制御ＭＡＣ（Ｍｅｄｉｕｍ  Ａｃｃｅｓｓ  Ｃｏｎｔｒｏｌが全称）エンティティーに対しても不変のままに維持することにより、ソースノードは、サービスノードの更新中にデータの送受信を正常に行うことができるようになる。
【００４９】
上記第１の接続配置情報に基づく端末機器とソースノードの間のベアラに対する再配置のプロセスでは、端末機器は、さらに、ターゲットノードのターゲットノードセルグループにおける当該ベアラのＲＬＣエンティティーとターゲットノードセルグループにおける当該ベアラのＭＡＣエンティティーとを確立することにより、ターゲットノードは、サービスノードの更新中にデータの送受信を行うことができる。
【００５０】
ここに説明すべきなのは、端末機器は第１の接続配置情報を用いることにより、端末機器はサービスの更新中にソースノードとターゲットノードとの接続を同時に維持できるようになる。そのため、第１の接続配置情報を二重接続配置（ＤＣ  ｃｏｎｆｉｇｕｒａｔｉｏｎ）情報として呼ぶことができる。
【００５１】
ステップ１０５：第２の接続配置情報を用いて、ベアラが対応するレイヤ２プロトコルエンティティーを処理し、ソースノード分離型ベアラをターゲットノードベアラとして再配置すること。
【００５２】
端末機器は、端末機器とソースノードの間のベアラをソースノード分離型ベアラとして再配置した後、さらに、ネットワーク側機器から送信された配置情報における第２の接続配置情報を用いて再配置し、ソースノード型ベアラをターゲットノードベアラとして再配置することができる。この再配置プロセスでは、端末機器は、当該ベアラが対応するレイヤ２プロトコルエンティティーに対して、以下のような処理をしてもよい。
【００５３】
ソースノードのソースノードセルグループにおけるベアラのＰＤＣＰエンティティーを、ターゲットノードのターゲットノードセルグループにおけるＰＤＣＰエンティティーとして再配置する。
【００５４】
ソースノードセルグループにおけるベアラのＲＬＣエンティティーを解放する。
【００５５】
ソースノードセルグループにおけるベアラのＭＡＣエンティティーを解放する。
【００５６】
ターゲットノードセルグループにおけるベアラのＲＬＣエンティティーを不変のままに維持する。
【００５７】
ターゲットノードセルグループにおけるベアラのＭＡＣエンティティーを不変のままに維持する。
【００５８】
理解すべきなのは、上記第２の接続配置情報に基づくソースノード分離型ベアラのターゲットノードベアラとしての再配置のプロセスでは、端末機器は、ソースノードのソースノードセルグループにおけるベアラのＰＤＣＰエンティティーを、ターゲットノードのターゲットノードセルグループにおけるＰＤＣＰエンティティーとして再配置することにより、ターゲットノードが端末機器とのデータの送受信を行うことができるようになる。
【００５９】
上記第２の接続配置情報に基づくソースノード分離型ベアラのターゲットノードベアラとしての再配置のプロセスでは、端末機器は、さらに、ターゲットノードセルグループにおけるベアラのＲＬＣエンティティーとＭＡＣエンティティーを不変のままに維持することにより、ターゲットノードとのデータの送受信を正常に行うことができる。
【００６０】
上記第２の接続配置情報に基づくソースノード分離型ベアラのターゲットノードベアラとしての再配置のプロセスでは、端末機器は、ターゲットノードとの接続を確立する同時に、ソースノードセルグループにおけるベアラのＲＬＣエンティティーとＭＡＣエンティティ−を解放することにより、端末機器とソースノードとの接続を完全に解放することができ、サービスノードの更新が終了した。
【００６１】
選択的に、端末機器は、ソースノードセルグループにおけるベアラのＲＬＣエンティティーを解放するとき、ＲＬＣエンティティーの種類により、具体的なプロセスも異なる。具体的には、ソースノードセルグループにおけるベアラのＲＬＣエンティティーがロングタームエボリューションＬＴＥ仕様のＲＬＣエンティティーである場合、ＲＬＣエンティティーを再確立した後、さらに、ＲＬＣエンティティーを解放する。具体的には、ソースノードセルグループにおけるベアラのＲＬＣエンティティーがニューラジオＮＲ仕様のＲＬＣエンティティーである場合、ＲＬＣエンティティーを直接に解放する。
【００６２】
ここに説明すべきなのは、端末機器は第２の接続配置情報を用いることにより、端末機器がソースノードとの接続を解放してターゲットノードと接続するようになり、そのため、第２の接続配置情報を単一接続配置（ＳＣ  ｃｏｎｆｉｇｕｒａｔｉｏｎ）情報として呼ぶことができる。
【００６３】
理解すべきなのは、端末機器はステップ１０３を実行し、第１の接続配置情報を用いて、端末機器とソースノードの間のベアラをソースノード分離型ベアラとして再配置することにより、端末機器は、サービスノードの更新中にソースノードとターゲットノードとの接続を同時に維持することができる。端末機器はステップ１０５を実行し、第２の接続配置情報を用いて、ソースノード分離型ベアラをターゲットノードベアラとして再配置することにより、端末機器は、ソースノードとの接続を解放して、ターゲットノードのみとの接続を維持することができる。そのため、サービスノードの更新期間において、端末機器は、ソースノードとの接続を切断する必要がなく、ターゲットノードへと成功に更新してから、ソースノードとの接続をさらに切断することができ、そのため、ユーザ側のデータの連続無中断を実現することが可能となる。
【００６４】
本開示の実施例では、端末機器は、端末機器によって第１の接続配置情報が既に用いられたかを示すための指示情報をソースノードに送信することもできる。
【００６５】
相応に、ソースノードは、当該指示情報を受信すると、端末機器によって第１の接続配置情報が既に用いられたかを知ることができ、また、端末機器によって第１の接続配置情報が既に用いられ、端末機器とソースノードの間のベアラがソースノード分離型ベアラとして再配置された場合、第２のソースノード状態変換メッセージをターゲットノードに送信することで、ソースノードのデータ受信状態をターゲットノードに通知するとともに、ソースノード分離型ベアラから受信したデータをターゲットノードに転送する。
【００６６】
選択的に、端末機器からソースノードへ送信される指示情報は、ＰＤＣＰサブヘッダー（ｈｅａｄｅｒ）に含まれてもよい。言い換えれば、端末機器は指示情報をソースノードに送信することは、データパケットのＰＤＣＰサブヘッダーによって指示情報をソースノードに送信することによって行われてもよい。
【００６７】
選択的に、データパケットのＰＤＣＰサブヘッダーにおける指示情報は、現在のＰＤＣＰサブヘッダーにおける予め設定された指示ビットで反映されてもよい。例えば、サブヘッダーにおける予め設定された指示ビットの値として、「１」をとると、端末機器によって第１の接続配置情報が既に用いられたことが示されるが、サブヘッダーにおける予め設定された指示ビットの値として、「０」をとると、端末機器によって第１の接続配置情報がまだ用いられていないことが示される。
【００６８】
理解すべきなのは、端末機器からソースノードへ送信される指示情報は、複数回送信されてもよい。選択的に、第１の接続配置情報を用いて、端末機器とソースノードの間のベアラをソースノード分離型ベアラとして再配置した後、端末機器は、データパケットのＰＤＣＰサブヘッダーにおける指示情報を設定することにより、指示情報が端末機器によって第１の接続配置情報が既に用いられたことを示すようになることが可能である。その後、端末機器は、さらに、端末機器によって第１の接続配置情報が既に用いられたことを示すように、当該指示情報をソースノードに送信することできる。
【００６９】
選択的に、端末機器とソースノードの間のベアラが特定モードのベアラである場合、第２の接続配置情報を用いて、ベアラが対応するレイヤ２プロトコルエンティティーを処理し、ソースノード分離型ベアラをターゲットノードベアラとして再配置した後、端末機器は、さらに、ＰＤＣＰ状態レポート（ＰＤＣＰ  ｓｔａｔｕｓ  ｒｅｐｏｒｔ）をターゲットノードに送信することにより、端末機器のデータ受信状況をターゲットノードに報知することもできる。
【００７０】
ここに説明すべきなのは、トリガ条件（ここでいうトリガ条件は、具体的に、端末機器によって第２の接続配置情報が既に用いられ、ソースノード分離型ベアラがターゲットノードベアラに再配置されたことを指す）を満足した場合、端末機器がＰＤＣＰ状態レポートをターゲットノードに送信する機能は、ＲＲＣメッセージで配置することができる機能である。そのため、ネットワーク側機器は、端末機器へ送信するメッセージにおいてその機能を配置することができる。
【００７１】
本開示の実施例では、端末機器は、配置情報を受信した後、サービスノードの更新中にソースノードとターゲットノードとの接続を同時に維持するための第１の接続配置情報を用いて、端末機器とソースノードの間のベアラをソースノード分離型ベアラとして再配置するとともに、ソースノードとの接続を解放してターゲットノードと接続するための第２の接続配置情報を用いて、ソースノード分離型ベアラをターゲットノードベアラとして再配置する。そのため、サービスノードの更新中、本開示の実施例が提供する方案によれば、ソースノード分離型ベアラを用いることにより、サービスノードの更新期間において端末機器は、ソースノードとの接続を切断する必要がなく、ターゲットノードへと成功に更新してから、ソースノードとの接続をさらに切断することができ、そのため、ユーザ側のデータの連続無中断を実現することが可能となる。
【００７２】
図２を参照して、端末機器によって実行されるサービスノードの更新方法とターゲットノードによって実行されるサービスノードの更新方法とに対応して、本開示の実施例は、サービスノードの更新中のソースノードを含むネットワーク側機器によって実行されるサービスノードの更新方法を提供する。当該方法は、以下のステップを含む。
【００７３】
ステップ２０１：サービスノードの更新中にソースノードとターゲットノードとの接続を同時に維持するための第１の接続配置情報と、ソースノードとの接続を解放してターゲットノードと接続するための第２の接続配置情報とを含む配置情報を送信すること。
【００７４】
理解すべきなのは、ソースノードはステップ２０１を実行して送信する配置情報が、図１に示した実施例における端末機器がステップ１０１を実行して受信する配置情報に対応する。図１に示した実施例における配置情報についての記述は全部、適用できるため、ここでは説明を省略する。
【００７５】
理解すべきなのは、端末機器によって第１の接続配置情報が用いられた後、端末機器は、ソースノードとターゲットノードとの接続を同時に維持するようになり、そのため、ソースノードもターゲットノードも端末機器とのデータの送受信を行うことができる。そのため、ソースノードは、端末機器とのデータの送受信状況をターゲットノードに同期化する必要がある。具体的には、ソースノードから端末機器へ送信される下りリンクデータの送信状態と、端末機器から受信した上りリンクデータの受信状態とが含まれてよい。
【００７６】
ソースノードから端末機器へ送信される下りリンクデータについて、ソースノードは、配置情報を端末機器に送信した後、ソースノード状態変換（ＳＮ  Ｓｔａｔｕｓ  ｔｒａｎｓｆｅｒ）プロセスを発起することができる。このプロセスでは、図３に示されるように、ソースノードはステップ２０３を実行し、第１のソースノード状態変換（ＳＮ  ｓｔａｔｕｓ  ｔｒａｎｓｆｅｒ）メッセージをターゲットノードに送信することにより、ソースノードのデータ送信状態をターゲットノードに通知することができる。ソースノードは、さらに、ステップ２０５を実行し、下りリンクデータのデータ転送（Ｄａｔａ  ｆｏｒｗａｒｄｉｎｇ）プロセスが対応するＰＤＣＰサービスデータユニットＳＤＵをターゲットノードに送信することもできる。ソースノードは、さらに、ステップ２０７を実行し、ソースノード分離型ベアラが対応する第１のＰＤＣＰプロトコルデータユニットＰＤＵをターゲットノードに送信することができ、第１のＰＤＣＰ  ＰＤＵがソースノードによって、ソースノード分離型ベアラから端末機器へ送信される。
【００７７】
具体的に実施するとき、ソースノードは、下りリンクデータ転送（Ｄａｔａ  ｆｏｒｗａｒｄｉｎｇ）プロセスが対応するＰＤＣＰサービスデータユニットＳＤＵをターゲットノードに送信する前に、ソースノードとターゲットノードの間の、下りリンクデータ転送プロセスが対応するＰＤＣＰ  ＳＤＵをベアリングするための第１のチャネル（ｔｕｎｎｅｌ）を先に確立することができる。
【００７８】
具体的に実施するとき、ソースノードは、ソースノード分離型ベアラが対応するＰＤＣＰプロトコルデータユニットＰＤＵをターゲットノードに送信する前に、ソースノードとターゲットノードの間の、ソースノード分離型ベアラが対応するＰＤＣＰ  ＰＤＵをベアリングするための第２のチャネル（ｔｕｎｎｅｌ）を先に確立することができる。
【００７９】
理解すべきなのは、ソースノードからターゲットノードへ転送されるＰＤＣＰ  ＳＤＵは、ソースノードから端末機器へ送信される予定であるが、まだ処理されていない生下りリンクデータを含んでもよく、ソースノードから端末機器へ既に送信されたが、まだ端末機器からの受信成功メッセージを受信していない生下りリンクデータを含んでもよい。ソースノードからターゲットノードへ転送される第１のＰＤＣＰ  ＰＤＵは、ソースノードによってソースノード分離型ベアラから端末機器へ送信される下りリンクデータを含む。
【００８０】
理解すべきなのは、ソースノードは、上記データ及びメッセージをターゲットノードに送信することにより、ソースノードから端末機器への下りリンクデータの送信状況をターゲットノードに同期化することができ、それにより、サービスノードの更新中にユーザ側のデータ伝送の連続性が確保され、データに関するサービス要求に適合した。
【００８１】
本開示の実施例では、図４に示されるように、ソースノードは、配置情報を送信した後、さらに、ステップ２０９を実行し、端末機器によって第１の接続配置情報が既に用いられたかを示すための、端末機器からの指示情報を受信することもできる。理解すべきなのは、ソースノードが受信した指示情報は、端末機器から送信された指示情報に対応する。そのため、図１に示した実施例における指示情報についての関連記述は全部、適用できるため、ここでは説明を省略する。
【００８２】
ソースノードが指示情報を受信した後、端末機器によって第１の接続配置情報が既に用いられたことを指示情報が示した場合、端末ノードが既に端末機器とソースノードの間のベアラをソースノード分離型ベアラとして再配置したことが示される。そのため、端末ノードは、ソースノードに対してデータを送信することができるし、ターゲットノードに対してデータを送信することもできる。
【００８３】
そのため、ソースノードが端末機器から受信した上りリンクデータについて、図４に示されるように、ソースノードは、端末機器によって第１の接続配置情報が既に用いられたことを指示情報が示した場合、ステップ２１１を実行し、第２のソースノード状態変換メッセージをターゲットノードに送信することで、ソースノードのデータ受信状態をターゲットノードに通知することができ、また、ステップ２１３を実行し、ソースノード分離型ベアラから受信したデータをターゲットノードに転送することもできる（すなわち、ソースノードによって実行される上りリンクデータ転送（ｄａｔａ  ｆｏｒｗａｒｄｉｎｇ）プロセス）。
【００８４】
理解すべきなのは、ソースノードは、上記データ及びメッセージをターゲットノードに送信することにより、ソースノードによる端末機器からの上りリンクデータの受信状況をターゲットノードに同期化することができ、それにより、サービスノードの更新中にユーザ側のデータ伝送の連続性が確保され、データに関するサービス要求に適合した。
【００８５】
選択的に、ソースノードは、配置情報を端末機器へ送信した後、さらに、端末機器のＰＤＣＰ受信状態情報をターゲットノードに送信することにより、端末機器によるＰＤＣＰの受信状況をターゲットノードに報知することができる。
【００８６】
ここに説明すべきなのは、ソースノードは、端末機器のＰＤＣＰ受信状態情報をターゲットノードに送信する前に、端末機器のＰＤＣＰ受信状態情報を先に特定する必要がある。具体的には、ソースノードは、ＭＡＣレイヤのハイブリッド自動再送要求ＨＡＲＱ（Ｈｙｂｒｉｄ  Ａｕｔｏｍａｔｉｃ  Ｒｅｐｅａｔ  Ｒｅｑｕｅｓｔ）情報、および、ＲＬＣレイヤが受信したＲＬＣ状態レポートのうちの少なくとも１つに基づいて、端末機器のＰＤＣＰ受信状態情報を特定することができる。理解すべきなのは、ソースノードがＭＡＣレイヤのＨＡＲＱ情報、および／又は、ＲＬＣレイヤが受信したＲＬＣ状態レポートに基づいて特定した端末機器のＰＤＣＰ受信状態情報は、端末機器によるＰＤＣＰのデータ受信状況をある程度反映することができる。そのため、このＰＤＣＰ受信状態情報をターゲットノードに送信することは、ターゲットノードが端末機器によるＰＤＣＰのデータ受信状況を把握することの一助となる。
【００８７】
本開示の実施例では、ソースノードは配置情報を端末機器に送信することにより、端末機器は、配置情報を受信した後、サービスノードの更新中にソースノードとターゲットノードとの接続を同時に維持するための第１の接続配置情報を用いて、端末機器とソースノードの間のベアラをソースノード分離型ベアラとして再配置し、さらに、ソースノードとの接続を解放してターゲットノードと接続するための第２の接続配置情報を用いて、ソースノード分離型ベアラをターゲットノードベアラとして再配置することができるようになる。それにより、サービスノードの更新中、本開示の実施例が提供する方案によれば、ソースノード分離型ベアラを用いることにより、サービスノードの更新期間において端末機器は、ソースノードとの接続を切断する必要がなく、ターゲットノードへと成功に更新してから、ソースノードとの接続をさらに切断することができ、そのため、ユーザ側のデータの連続無中断を実現することが可能となる。
【００８８】
それを基にして、ソースノードは、さらに、端末機器へのＲＲＣ再配置のプロセスを発起した後、端末機器に送信される下りリンクデータおよび端末機器から受信した上りリンクデータをターゲットノードに同期化することにより、サービスノードの更新中に、ユーザ側のデータ伝送の連続性がさらに確保され、業務データに関するサービス要求に適合した。
【００８９】
図５を参照して、端末機器によって実行されるサービスノードの更新方法とソースノードによって実行されるサービスノードの更新方法とに対応して、本開示の実施例は、さらに、サービスノードの更新中のターゲットノードを含むネットワーク側機器によって実行されるサービスノードの更新方法を提供する。当該方法は、以下のステップを含む。
【００９０】
ステップ３０１：サービスノードの更新中にソースノードから送信された第１のソースノード状態変換メッセージと、ソースノード分離型ベアラから受信した第１のＰＤＣＰ  ＰＤＵを受信すること。
【００９１】
理解すべきなのは、ターゲットノードがステップ３０１を実行して受信した、ソースノードからの第１のソースノード状態変換（ＳＮ  ｓｔａｔｕｓ  ｔｒａｎｓｆｅｒ）メッセージは、図２に示した実施例においてソースノードがステップ２０３を実行してターゲットノードに送信する第１のソースノード状態変換メッセージに対応し、また、ターゲットノードがステップ３０１を実行して受信した、ソースノードによってソースノード分離型ベアラから受信された第１のＰＤＣＰ  ＰＤＵが、図２に示した実施例においてソースノードがステップ２０７を実行してターゲットノードに送信する第１のＰＤＣＰ  ＰＤＵが対応する。ここでは説明を省略する。
【００９２】
ステップ３０３：第１のソースノード状態変換メッセージと第１のＰＤＣＰ  ＰＤＵに基づいて、ターゲットノードにおけるＰＤＣＰエンティティーを送信する送信状態を更新すること。
【００９３】
ソースノードから送信された第１のソースノード状態変換メッセージと第１のＰＤＣＰ  ＰＤＵに基づいて、ターゲットノードは、ソースノードがＲＲＣ再配置プロセスを発起した後、端末機器へデータを送信する状況を把握することができる。そのため、ターゲットノードは、それを基にして、ターゲットノードにおけるＰＤＣＰエンティティーを送信する送信状態を更新することができ、それにより、更新後の送信状態がネットワーク側機器から端末機器へのデータ送信状況を完全に反映できるようになる。
【００９４】
ステップ３０５：ソースノードから送信された第２のソースノード状態変換メッセージと、ターゲットベアラから受信した第２のＰＤＣＰ  ＰＤＵを受信すること。
【００９５】
理解すべきなのは、ターゲットノードがステップ３０５を実行して受信した、ソースノードからの第２のソースノード状態変換（ＳＮ  ｓｔａｔｕｓ  ｔｒａｎｓｆｅｒ）メッセージは、図２に示した実施例においてソースノードがステップ２１１を実行してターゲットノードに送信する第２のソースノード状態変換メッセージに対応する。ここでは説明を省略する。
【００９６】
ステップ３０７：第２のソースノード状態変換メッセージと第２のＰＤＣＰ  ＰＤＵに基づいて、ターゲットノードにおけるＰＤＣＰエンティティーを受信する受信状態を更新すること。
【００９７】
第２のソースノード状態変換メッセージと第２のＰＤＣＰ  ＰＤＵに基づいて、ターゲットノードは、ソースノードがＲＲＣ再配置プロセスを発起した後、端末機器からのデータ受信状況を把握することができる。そのため、ターゲットノードは、それを基にして、ターゲットノードにおいてＰＤＣＰエンティティーを受信する受信状態を更新することができ、それにより、更新後の受信状態がネットワーク側機器の端末機器からのデータ受信状況を完全に反映できるようになる。
【００９８】
それ以外、ターゲットノードは、ソースノードから送信された端末機器のＰＤＣＰ受信状態情報を受信することにより、端末機器のネットワーク側の下りリンクデータの受信状況を把握することができる。理解すべきなのは、ターゲットノードが受信したＰＤＣＰ受信状態情報は、ソースノードから送信されたＰＤＣＰ受信状態情報に対応する。ここでは説明を省略する。
【００９９】
それ以外、ターゲットノードは、さらに、端末機器から送信されてきたＰＤＣＰ状態レポートを受信することにより、端末機器によるネットワーク側の下りリンクデータの受信状況を把握することができる。理解すべきなのは、ターゲットノードが受信したＰＤＣＰ状態レポートは、端末機器から送信されたＰＤＣＰ状態レポートに対応する。ここでは説明を省略する。
【０１００】
ＰＤＣＰ受信状態情報とＰＤＣＰ状態レポートのうちの少なくとも１つを受信した上で、ターゲットノードは、さらに、ＰＤＣＰ受信状態情報とＰＤＣＰ状態レポートのうちの少なくとも１つに基づいて、端末機器によって成功に受信されていないデータを端末機器に対して再送信することにより、ユーザ側のデータの確実な伝送を実現させることができる。
【０１０１】
図６に示されるように、サービスノードの更新中に、ソースノードがＲＲＣ再配置プロセスを発起する前に、ネットワーク側機器（そのとき、ソースノードのみである）は、図６（ａ）に示したデータリンクに従って、下りリンクデータを端末機器に送信する。
【０１０２】
ソースノードが配置情報を端末機器に送信し、端末機器が第１の接続配置情報に基づいて、端末機器とソースノードの間のベアラをソースノード分離型ベアラとして再配置した後、端末機器は、サービスノードの更新中にソースノードとターゲットノードとの接続を同時に維持するようになる。そのため、ネットワーク側機器（ソースノードとターゲットノードを含む）は、図６（ｂ）に示したデータリンクに従って、下りリンクデータを端末機器に送信する。
【０１０３】
端末機器が第２の接続配置情報に基づいてソースノード分離型ベアラをターゲットノードベアラとして再配置した後、端末機器は、ソースノードとの接続を解放して、ターゲットノードと接続するようになる。そのため、ネットワーク側機器（そのとき、ターゲットノードのみである）は、図６（ｃ）に示したデータリンクに従って、下りリンクデータを端末機器に送信する。
【０１０４】
図７に示されるように、サービスノードの更新中に、ソースノードがＲＲＣ再配置プロセスを発起する前に、ネットワーク側機器（そのとき、ソースノードのみである）は、図７（ａ）に示したデータリンクに従って、上りリンクデータを端末機器から受信する。
【０１０５】
ソースノードが配置情報を端末機器から送信し、端末機器が第１の接続配置情報に基づいて端末機器とソースノードの間のベアラをソースノード分離型ベアラとして再配置した後、端末機器は、サービスノードの更新中にソースノードとターゲットノードとの接続を同時に維持するようになる。そのため、ネットワーク側機器（ソースノードとターゲットノードを含む）は、図７（ｂ）に示したデータリンクに従って、上りリンクデータを端末機器から受信する。
【０１０６】
端末機器が第２の接続配置情報に基づいてソースノード分離型ベアラをターゲットノードベアラとして再配置した後、端末機器は、ソースノードとの接続を解放して、ターゲットノードと接続するようになる。そのため、ネットワーク側機器（そのとき、ターゲットノードのみである）は、図７（ｃ）に示したデータリンクに従って、上りリンクデータを端末機器から受信する。
【０１０７】
本開示の実施例では、ソースノードは配置情報を端末機器に送信することにより、端末機器は、配置情報を受信した後、サービスノードの更新中にソースノードとターゲットノードとの接続を同時に維持するための第１の接続配置情報を用いて、端末機器とソースノードの間のベアラをソースノード分離型ベアラとして再配置し、さらに、ソースノードとの接続を解放してターゲットノードと接続するための第２の接続配置情報を用いて、ソースノード分離型ベアラをターゲットノードベアラとして再配置することができるようになる。それにより、サービスノードの更新中、本開示の実施例が提供する方案によれば、ソースノード分離型ベアラを用いることにより、サービスノードの更新期間において端末機器は、ソースノードとの接続を切断する必要がなく、ターゲットノードへと成功に更新してから、ソースノードとの接続をさらに切断することができ、そのため、ユーザ側のデータの連続無中断を実現することが可能となる。
【０１０８】
それを基にして、ソースノードは、さらに、端末機器へＲＲＣ再配置プロセスを発起した後端末機器に送信される下りリンクデータおよび端末機器から受信した上りリンクデータをターゲットノードに同期化することにより、サービスノードの更新中に、ユーザ側のデータ伝送の連続性がさらに確保され、業務データに関するサービス要求に適合した。
【０１０９】
図８に示されるように、図１に示した実施例が提供するサービスノードの更新方法に対応して、本開示の実施例は、図１に示した実施例におけるサービスノードの更新方法を実現することができる端末機器をさらに提供する。
【０１１０】
当該端末機器は、
サービスノードの更新中にソースノードとターゲットノードとの接続を同時に維持するための第１の接続配置情報と、ソースノードとの接続を解放してターゲットノードと接続するための第２の接続配置情報とを含む配置情報を受信するための配置メッセージ受信モジュール４０１と、
第１の接続配置情報を用いて、端末機器とソースノードの間のベアラが対応するレイヤ２プロトコルエンティティーを処理し、ベアラをソースノード分離型ベアラとして再配置するための第１の再配置モジュール４０３と、
第２の接続配置情報を用いて、ベアラが対応するレイヤ２プロトコルエンティティーを処理し、ソースノード分離型ベアラをターゲットノードベアラとして再配置するための第２の再配置モジュール４０５と、を備えた。
【０１１１】
選択的に、上記第１の再配置モジュール４０３は、具体的に、
ソースノードのソースノードセルグループにおけるベアラのパケットデータコンバージェンスプロトコルＰＤＣＰエンティティーを再配置するための第１の再配置ユニットと、
ソースノードセルグループにおけるベアラの無線リンク制御ＲＬＣエンティティーを不変のままに維持するための第１の維持ユニットと、
ソースノードセルグループにおけるベアラの媒体アクセス制御ＭＡＣエンティティーを不変のままに維持するための第２の維持ユニットと、
ターゲットノードのターゲットノードセルグループにおけるベアラのＲＬＣエンティティーを確立するための第１の確立ユニットと、
ターゲットノードセルグループにおけるベアラのＭＡＣエンティティーを確立するための第２の確立ユニットと、を含んでもよい。
【０１１２】
選択的に、上記第２の再配置モジュール４０５は、具体的に、
ソースノードのソースノードセルグループにおけるベアラのＰＤＣＰエンティティーを、ターゲットノードのターゲットノードセルグループにおけるＰＤＣＰエンティティーとして再配置するための第２の再配置ユニットと、
ソースノードセルグループにおけるベアラのＲＬＣエンティティーを解放するための第１の解放ユニットと、
ソースノードセルグループにおけるベアラのＭＡＣエンティティーを解放するための第２の解放ユニットと、
ターゲットノードセルグループにおけるベアラのＲＬＣエンティティーを不変のままに維持するための第３の維持ユニットと、
ターゲットノードセルグループにおけるベアラのＭＡＣエンティティーを不変のままに維持するための第４の維持ユニットと、を含んでもよい。
【０１１３】
選択的に、上記第１の解放ユニットは、具体的に、
ＲＬＣエンティティーがロングタームエボリューションＬＴＥ仕様のＲＬＣエンティティーである場合、ＲＬＣエンティティーを再確立した後、ＲＬＣエンティティーを解放するための再確立・解放サブユニット、および、
ＲＬＣエンティティーがニューラジオＮＲ仕様のＲＬＣエンティティーである場合、ＲＬＣエンティティーを直接に解放するための直接解放サブユニット、のうちの少なくとも１つを含んでもよい。
【０１１４】
選択的に、上記端末機器は、
端末機器によって第１の接続配置情報が既に用いられたかを示すための指示情報をソースノードに送信するための指示情報送信モジュールをさらに備えてもよい。
【０１１５】
選択的に、上記指示情報送信モジュールは、具体的に、データパケットのＰＤＣＰサブヘッダーによって指示情報をソースノードに送信してもよい。
【０１１６】
選択的に、上記指示情報送信モジュールは、具体的に、
第１の接続配置情報を用いて、端末機器とソースノードの間のベアラをソースノード分離型ベアラとして再配置した後、データパケットのＰＤＣＰサブヘッダーにおける指示情報を設定するための指示情報設定ユニットと、
端末機器によって第１の接続配置情報が既に用いられたことを示すように、指示情報をソースノードに送信するための指示情報送信ユニットとを含んでもよい。
【０１１７】
選択的に、ベアラが特定モードのベアラである場合、上記端末機器は、
ＰＤＣＰ状態レポートをターゲットノードに送信するための状態レポート送信モジュールをさらに備えてもよい。
【０１１８】
理解すべきなのは、本開示の実施例が提供する端末機器は、上記図１に示した実施例におけるサービスノードの更新方法を実現することができ、図１に示した実施例におけるサービスノードの更新方法についての関連記述は全部、本実施例に適用できる。ここでは説明を省略する。
【０１１９】
図９に示されるように、図２に示した実施例が提供するサービスノードの更新方法に対応して、本開示の実施例は、図２に示した実施例におけるサービスノードの更新方法を実現することができるネットワーク側機器をさらに提供する。ただし、当該ネットワーク側機器は、サービスノードの更新中のソースノードを含む。当該ネットワーク側機器は、
サービスノードの更新中にソースノードとターゲットノードとの接続を同時に維持するための第１の接続配置情報と、ソースノードとの接続を解放してターゲットノードと接続するための第２の接続配置情報とを含む配置情報を送信するための配置情報送信モジュールを含む。
【０１２０】
選択的に、上記ソースノードは、さらに、
ソースノードのデータ送信状態をターゲットノードに通知するための第１のソースノード状態変換メッセージを、ターゲットノードに送信するための第１のソースノード状態変換メッセージ送信モジュールと、
下りリンクデータ転送プロセスが対応するＰＤＣＰサービスデータユニットＳＤＵを、ターゲットノードに送信するためのＰＤＣＰ  ＳＤＵ転送モジュールと、
ソースノードによってソースノード分離型ベアラから端末機器へ送信される、ソースノード分離型ベアラが対応する第１のＰＤＣＰプロトコルデータユニットＰＤＵをターゲットノードに送信するためのＰＤＣＰ  ＰＤＵ送信モジュールと、を含んでもよい。
【０１２１】
選択的に、上記ソースノードは、さらに、
ソースノードとターゲットノードの間の、下りリンクデータ転送プロセスが対応するＰＤＣＰ  ＳＤＵをベアリングするための第１のチャネルを確立するための第１のチャネル確立モジュールを含んでもよい。
【０１２２】
選択的に、上記ソースノードは、さらに、
ソースノードとターゲットノードの間の、ソースノード分離型ベアラが対応するＰＤＣＰ  ＰＤＵをベアリングするための第２のチャネルを確立するための第２のチャネル確立モジュールを含んでもよい。
【０１２３】
選択的に、上記ソースノードは、さらに、
端末機器によって第１の接続配置情報が既に用いられたかを示すための指示情報を受信するための指示情報受信モジュールを含んでもよい。
【０１２４】
選択的に、上記ソースノードは、さらに、
端末機器によって第１の接続配置情報が既に用いられたことを指示情報が示した場合、第２のソースノード状態変換メッセージをターゲットノードに送信するための第２のソースノード変換メッセージ送信モジュールと、
端末機器によって第１の接続配置情報が既に用いられたことを指示情報が示した場合、ソースノード分離型ベアラから受信したデータをターゲットノードに転送するための受信データ転送モジュールと、を含んでもよく、
第２のソースノード状態変換メッセージは、ソースノードのデータ受信情報をターゲットノードに通知するためのものである。
【０１２５】
選択的に、上記ソースノードは、さらに、
端末機器のＰＤＣＰ受信状態情報をターゲットノードに送信するための受信状態情報送信モジュールを含んでもよい。
【０１２６】
選択的に、上記ソースノードは、さらに、
ＭＡＣレイヤのハイブリッド自動再送要求ＨＡＲＱ情報、および、ＲＬＣレイヤが受信したＲＬＣ状態レポートのうちの少なくとも１つに基づいて、端末機器のＰＤＣＰ受信状態情報を特定するための受信状態情報特定モジュールを含んでもよい。
【０１２７】
選択的に、上記ネットワーク側機器では、ネットワーク側機器が多接続アーキテクチャにおける一次ノードＭＮである。
【０１２８】
理解すべきなのは、本開示の実施例が提供するネットワーク側機器は、上記図２に示した実施例におけるサービスノードの更新方法を実現することができ、図２に示した実施例におけるサービスノードの更新方法についての関連記述は全部、本実施例に適用できる。ここでは説明を省略する。
【０１２９】
図１０に示されるように、図５に示した実施例が提供するサービスノードの更新方法に対応して、本開示の実施例は、図５に示した実施例におけるサービスノードの更新方法を実現することができるネットワーク側機器をさらに提供する。ただし、当該ネットワーク側機器は、サービスノードの更新中のターゲットノードを含む。当該ネットワーク側機器は、
サービスノードの更新中にソースノードから送信された第１のソースノード状態変換メッセージと、ソースノード分離型ベアラから受信した第１のＰＤＣＰ  ＰＤＵを受信するための第１のソースノード状態変換メッセージおよびＰＤＣＰ  ＰＤＵ受信モジュール６０１と、
第１のソースノード状態変換メッセージと第１のＰＤＣＰ  ＰＤＵに基づいて、ターゲットノードにおけるＰＤＣＰエンティティーを送信する送信状態を更新するための送信状態更新モジュール６０３と、
ソースノードから送信された第２のソースノード状態変換メッセージと、ターゲットベアラから受信した第２のＰＤＣＰ  ＰＤＵを受信するための第２のソースノード状態変換メッセージおよびＰＤＣＰ  ＰＤＵ受信モジュール６０５と、
第２のソースノード状態変換メッセージと第２のＰＤＣＰ  ＰＤＵに基づいて、ターゲットノードにおけるＰＤＣＰエンティティーを受信する受信状態を更新するための受信状態更新モジュール６０７と、を含む。
【０１３０】
選択的に、上記ネットワーク側機器は、
ソースノードから送信されてきた端末機器のＰＤＣＰ受信状態情報を受信するための受信状態情報受信ユニット、および、
端末機器から送信されてきたＰＤＣＰ状態レポートを受信するための状態レポート受信ユニット、のうちの少なくとも１つをさらに含んでもよい。
【０１３１】
選択的に、上記ネットワーク側機器は、
ＰＤＣＰ受信状態情報とＰＤＣＰ状態レポートのうちの少なくとも１つに基づいて、端末機器によって成功に受信されていないデータを、端末機器に対して再送信するためのデータ再送信モジュールをさらに含んでもよい。
【０１３２】
理解すべきなのは、本開示の実施例が提供するネットワーク側機器は、上記図５に示した実施例におけるサービスノードの更新方法を実現することができ、図５に示した実施例におけるサービスノードの更新方法についての関連記述は全部、本実施例に適用できる。ここでは説明を省略する。
【０１３３】
図１１は、本開示の実施例における端末機器（携帯端末とも呼ばれる）の別のブロック図である。図１１に示した端末機器７００は、少なくとも１つのプロセッサと、メモリ７０２と、少なくとも１つのネットワークインターフェース７０４と、ユーザインタフェース７０３と、を含む。端末機器７００における各部品は、バスシステム７０５によって結合されている。理解すべきなのは、バスシステム７０５は、それらの部品間の接続通信を実現するために用いられる。バスシステム７０５は、データバスに加えて、電源バス、制御バス、状態信号バスをさらに含む。しかし、説明を明瞭にするために、図１１では、各種類のバスを全部、バスシステム７０５として標記する。
【０１３４】
ただし、ユーザインタフェース７０３は、ディスプレイ、キーボード又はクリック機器（例えば、マウス、トラックボール（ｔｒａｃｋｂａｌｌ））、タッチパネル又はタッチスクリーンなどを含んでもよい。
【０１３５】
理解すべきなのは、本開示の実施例におけるメモリ７０２は、揮発性メモリー又は不揮発性メモリーであってもよく、又は、揮発性メモリーと不揮発性メモリーの両者を含んでもよい。ただし、不揮発性メモリーは、リードオンリーメモリ（Ｒｅａｄ−Ｏｎｌｙ  Ｍｅｍｏｒｙ、ＲＯＭ）、プログラマブル読取り専用メモリ  （Ｐｒｏｇｒａｍｍａｂｌｅ  ＲＯＭ、ＰＲＯＭ）、消去可能なプログラマブル読取り専用メモリ（Ｅｒａｓａｂｌｅ  ＰＲＯＭ、ＥＰＲＯＭ）、電気的プログラマブル読取り専用メモリ（Ｅｌｅｃｔｒｉｃａｌｌｙ  ＥＰＲＯＭ、ＥＥＰＲＯＭ）又はフラッシュメモリであってもよい。揮発性メモリーは、外部高速バッファとしてのランダムアクセスメモリ（Ｒａｎｄｏｍ  Ａｃｃｅｓｓ  Ｍｅｍｏｒｙ、ＲＡＭ）であってもよい。非制限の例示的な説明により、多くの形式のＲＡＭが利用可能なものである。例えば、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスメント型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈ  ｌｉｎｋ  ＤＲＡＭ、ＳＬＤＲＡＭ）、および、ダイレクトメモリアクセスメモリ（Ｄｉｒｅｃｔ  Ｒａｍｂｕｓ  ＲＡＭ、ＤＲＲＡＭ）が挙げられる。本開示の実施例に記載のシステム及び方法におけるメモリ７０２は、それら及び任意の他の適切な種類のメモリを含むが、それらに限らない。
【０１３６】
幾つかの実施の形態では、メモリ７０２には、実行可能なモジュール又はデータ構成、又はそれらのサブセット、又はそれらの拡張セット（操作システム７０２１とアプリケーションプログラム７０２２）という要素が記憶されている。
【０１３７】
ただし、操作システム７０２１は、例えば、フレームレイヤ、コアライブラリレイヤ、ドライバレイヤなどの種々のシステムプログラムを含み、種々の基礎的業務の実現やハードウェアに基づくタスクの処理に用いられる。アプリケーションプログラム７０２２は、例えば、メディアプレイヤー（Ｍｅｄｉａ  Ｐｌａｙｅｒ）、ブラウザー（Ｂｒｏｗｓｅｒ）などの種々のアプリケーションプログラムを含み、種々のアプリケーション業務の実現に用いられる。本開示の実施例における方法を実現するプログラムは、アプリケーションプログラム７０２２に含まれてもよい。
【０１３８】
本開示の実施例では、端末機器７００は、さらに、メモリ７０９に記憶されているとともに、プロセッサ７１０にて運行できるコンピュータプログラムを含み、コンピュータプログラムがプロセッサ７０１によって実行される時、以下のステップが実現される。
【０１３９】
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を受信すること、
前記第１の接続配置情報を用いて、前記端末機器と前記ソースノードの間のベアラが対応するレイヤ２プロトコルエンティティーを処理し、前記ベアラをソースノード分離型ベアラとして再配置すること、および、
前記第２の接続配置情報を用いて、前記ベアラが対応するレイヤ２プロトコルエンティティーを処理し、前記ソースノード分離型ベアラをターゲットノードベアラとして再配置すること。
【０１４０】
上記発明の実施例に開示された方法は、プロセッサ７０１に適用されてもよく、又は、プロセッサ７０１によって実現されてもよい。プロセッサ７０１は、信号の処理能力を有する集積回路チップであってもよい。実現のプロセスでは、上記方法における各ステップは、プロセッサ７０１におけるハードウェアの集積ロジック回路またはソフトウェア形式のコマンドによって完成することができる。上記プロセッサ７０１は、汎用プロセッサ、デジタル信号プロセッサ（Ｄｉｇｉｔａｌ  Ｓｉｇｎａｌ  Ｐｒｏｃｅｓｓｏｒ、ＤＳＰ），専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、ディスクリートゲート又はトランジスタロジックデバイス、ディスクリートハードウェアコンポーネントであってもよく、本開示の実施例に開示された各方法、ステップ、および、ロジックブロック図を実現し、又は、実行してもよい。汎用プロセッサは、マイクロプロセッサであってもよく、又は、当該プロセッサは、任意の一般的なプロセッサであってもよい。本開示の実施例に開示された方法におけるステップを組み合わせると、ハードウェアコードプロセッサによって実行され完成するように直接に表されてもよく、又は、コードプロセッサにおけるハードウェアとソフトウェアとのモジュールの組み合わせによって実行され完成するように表されてもよい。ソフトウェアモジュールは、ランダムアクセスメモリ、フラッシュメモリ、リードオンリーメモリ、プログラマブルリードオンリーメモリ又は電気的消去可能なプログラマブルメモリ、レジスタ等の当分野で成熟したコンピュータ可読記憶媒体内に格納することができる。当該コンピュータ可読記憶媒体は、メモリ７０２に格納し、プロセッサ７０１がメモリ７０２における情報を読み取り、そのハードウェアを組み合わせて上記方法のステップを完成する。具体的には、当該コンピュータ可読記憶媒体には、コンピュータプログラムが記憶され、コンピュータプログラムがプロセッサ７０１によって実行される時、上記サービスノードの更新方法についての各実施例の各ステップが実現される。
【０１４１】
理解すべきなのは、本開示の実施例に記載のそれらの実施例は、ハードウェア、ソフトウェア、ファームウェア、ミドルウェア、マイクロコードまたはそれらの組み合わせによって実現されてもよい。ハードウェアの実現について、処理ユニットは、１つ又は複数の専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理装置（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本開示に記載の機能を実行するための他の電子素子またはそれらの組み合わせに実現されてもよい。
【０１４２】
ソフトウェアの実現について、本開示の実施例に記載の機能を実行するモジュール（例えば、プロセス、関数など）によって、本開示の実施例に記載の技術が実現されてもよい。ソフトウェアコードは、メモリに記憶されているとともに、プロセッサによって実行されてもよい。メモリは、プロセッサ内またはプロセッサの外部に実現されてもよい。
【０１４３】
選択的に、本開示の実施例は、プロセッサ７０１と、メモリ７０２と、メモリ７０２に記憶されているとともに、前記プロセッサ７０１にて運行できるコンピュータプログラムを含み、当該コンピュータプログラムがプロセッサ７０１によって実行される時、上記サービスノードの更新方法についての実施例における各プロセスが実現され、かつ、同様な技術的効果が実現される、端末機器をさらに提供する。説明の重複を回避するために、ここでは説明を省略する。
【０１４４】
図１２を参照して、図１２は、本開示の実施例に用いられるネットワーク側機器の構造図であり、図２に示した実施例におけるサービスノードの更新方法の詳細を実現するとともに、同様な効果を実現できる。図１２に示されるように、ネットワーク側機器２６００は、プロセッサ２６０１、送受信機２６０２、メモリ２６０３、ユーザインタフェース２６０４、および、バスインターフェースを含む。
【０１４５】
本開示の実施例では、ネットワーク側機器２６００は、さらに、メモリ２６０３に記憶されているとともに、プロセッサ２６０１にて運行できるコンピュータプログラムを含み、ネットワーク側機器がサービスノードの更新中のソースノードを含む場合、コンピュータプログラムがプロセッサ２６０１によって実行される時、以下のステップが実現される。
【０１４６】
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を送信すること。
【０１４７】
ネットワーク側機器がサービスノードの更新中のターゲットノードを含む場合、コンピュータプログラムがプロセッサ２６０１によって実行される時、以下のステップが実現される。
【０１４８】
サービスノードの更新中にソースノードから送信された第１のソースノード状態変換メッセージと、ソースノード分離型ベアラから受信した第１のＰＤＣＰ  ＰＤＵを受信すること、
【０１４９】
前記第１のソースノード状態変換メッセージと前記第１のＰＤＣＰ  ＰＤＵに基づいて、前記ターゲットノードにおけるＰＤＣＰエンティティーを送信する送信状態を更新すること、
前記ソースノードから送信された第２のソースノード状態変換メッセージと、ターゲットベアラから受信した第２のＰＤＣＰ  ＰＤＵを受信すること、および、
前記第２のソースノード状態変換メッセージと前記第２のＰＤＣＰ  ＰＤＵに基づいて、前記ターゲットノードにおけるＰＤＣＰエンティティーを受信する受信状態を更新すること。
【０１５０】
図１２では、バスアーキテクチャには、任意の数の相互接続されたバスとブリッジが含まれてもよい。具体的には、プロセッサ２６０１をはじめとする１つまたは複数のプロセッサは、メモリ２６０３をはじめとするメモリの種々の回路と接続されている。バスアーキテクチャは、さらに、周辺デバイス、電圧調整器、および電力管理回路等のような種々の他の回路を接続することができる。それは、当分野で公知のものである。そのため、本明細書では、更なる説明を省略する。バスインターフェースは、インターフェースを提供する。送受信機２６０２は、複数の素子であってもよく、すなわち、送信機と受信機を含み、伝送媒体において種々の他の装置と通信するためのユニットを提供する。異なる端末機器に対し、ユーザインタフェース２６０４は、さらに、必要な機器との外部接続も内部接続も可能なインターフェースであってもよい。接続される機器は、キーパッド、ディスプレイ、スピーカ、マイクロホン、ジョイスティックなどを含んでもよいが、それらに限らない。
【０１５１】
プロセッサ２６０１は、バスアーキテクチャの管理や一般的な処理を行う役割を果たし、メモリ２６０３は、プロセッサ２６０１の操作時に用いられるデータを記憶することができる。
【０１５２】
本開示の実施例は、コンピュータプログラムが記憶されており、当該コンピュータプログラムがプロセッサ７０１によって実行される時、上記サービスノードの更新方法についての実施例における各プロセスが実現され、かつ、同様な技術的効果が実現される、コンピュータ可読記憶媒体をさらに提供する。説明の重複を回避するために、ここでは説明を省略する。ただし、上記コンピュータ可読記憶媒体は、例えば、リードオンリーメモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスクまたは光ディスクなどであってもよい。
【０１５３】
ここに説明すべきなのは、本明細書では、「含む」、「包含」という用語又は他の変形は、非排他性の「包含」を意図的にカバーするものであり、それにより、一連の要素を含むプロセス、方法、物品または装置はそれらの要素を含むだけではなく、明確に挙げられていない他の要素も含み、又は、そのようなプロセス、方法、物品または装置の固有の要素も含む。より多くの制限がない場合、「１つの・・・を含む」という文章で限定された要素について、当該要素を含むプロセス、方法、物品または装置には、他の同様の要素がさらに存在することを排除しない。
【０１５４】
上記実施の形態の記載により、当業者は、上記実施例の方法がソフトウェアと必要な汎用ハードウェアのプラットフォームの方式によって実現されてもよいことを明確に知っているはずである。勿論、ハードウェアによっても実現されるが、多くの場合、前者が好適な実施の形態である。そのような理解を踏まえて、本開示の技術案は、実質上、又は、従来技術に対して貢献した部分が、ソフトウェア製品の形式によって表されてもよい。当該コンピュータソフトウェア製品は一つの記憶媒体（例えば、ＲＯＭ／ＲＡＭ、磁気ディスク、光ディスク）に記憶され、若干のコマンドを含むことにより、本開示の各実施例に記載の方法を一台の端末機器（携帯電話、コンピュータ、サーバ、空気調和器、又は、ネットワーク側機器などであってもよい）に実行させる。
【０１５５】
以上は、添付図面を組み合わせながら、本開示の実施例を記述していたが、本開示は、上記具体的な実施の形態に限らず、上記具体的な実施の形態は例示的なものに過ぎず、制限性のあるものではない。当業者は、本開示による示唆を基にして、本開示の趣旨や請求項が保護を求める範囲から逸脱しない限り、多くの形式上の変更を行うことができ、それらのいずれも本開示の保護範囲に属する。
【図１】
2021533703.tif 000003
【図２】
2021533703.tif 000004
【図３】
2021533703.tif 000005
【図４】
2021533703.tif 000006
【図５】
2021533703.tif 000007
【図６】
2021533703.tif 000008
【図７】
2021533703.tif 000009
【図８】
2021533703.tif 000010
【図９】
2021533703.tif 000011
【図１０】
2021533703.tif 000012
【図１１】
2021533703.tif 000013
【図１２】
2021533703.tif 000014
【手続補正書】
【提出日】令和3年3月31日(2021.3.31)
【手続補正１】
【補正対象書類名】明細書
【補正対象項目名】００６６
【補正方法】変更
【補正の内容】
【００６６】
選択的に、端末機器からソースノードへ送信される指示情報は、ＰＤＣＰサブヘッダー（ｓｕｂｈｅａｄｅｒ）に含まれてもよい。言い換えれば、端末機器は指示情報をソースノードに送信することは、データパケットのＰＤＣＰサブヘッダーによって指示情報をソースノードに送信することによって行われてもよい。
【手続補正２】
【補正対象書類名】特許請求の範囲
【補正対象項目名】全文
【補正方法】変更
【補正の内容】
【特許請求の範囲】
【請求項１】
端末機器によって実行されるサービスノードの更新方法であって、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を受信すること、
前記第１の接続配置情報を用いて、前記端末機器と前記ソースノードの間のベアラが対応するレイヤ２プロトコルエンティティーを処理し、前記ベアラをソースノード分離型ベアラとして再配置すること、および、
前記第２の接続配置情報を用いて、前記ベアラが対応するレイヤ２プロトコルエンティティーを処理し、前記ソースノード分離型ベアラをターゲットノードベアラとして再配置することを含む、サービスノードの更新方法。
【請求項２】
前記第１の接続配置情報を用いて、前記端末機器と前記ソースノードの間のベアラが対応するレイヤ２プロトコルエンティティーを処理することは、
前記ソースノードのソースノードセルグループにおける前記ベアラのパケットデータコンバージェンスプロトコルＰＤＣＰエンティティーを再配置すること、
前記ソースノードセルグループにおける前記ベアラの無線リンク制御ＲＬＣエンティティーを不変のままに維持すること、
前記ソースノードセルグループにおける前記ベアラの媒体アクセス制御ＭＡＣエンティティーを不変のままに維持すること、
前記ターゲットノードのターゲットノードセルグループにおける前記ベアラのＲＬＣエンティティーを確立すること、および、
前記ターゲットノードセルグループにおける前記ベアラのＭＡＣエンティティーを確立すること、を含む、請求項１に記載のサービスノードの更新方法。
【請求項３】
前記第２の接続配置情報を用いて、前記ベアラが対応するレイヤ２プロトコルエンティティーを処理することは、
前記ソースノードのソースノードセルグループにおける前記ベアラのＰＤＣＰエンティティーを、前記ターゲットノードのターゲットノードセルグループにおけるＰＤＣＰエンティティーとして再配置すること、
前記ソースノードセルグループにおける前記ベアラのＲＬＣエンティティーを解放すること、
前記ソースノードセルグループにおける前記ベアラのＭＡＣエンティティーを解放すること、
前記ターゲットノードセルグループにおける前記ベアラのＲＬＣエンティティーを不変のままに維持すること、および、
前記ターゲットノードセルグループにおける前記ベアラのＭＡＣエンティティーを不変のままに維持すること、を含む、請求項１に記載のサービスノードの更新方法。
【請求項４】
前記ソースノードセルグループにおける前記ベアラのＲＬＣエンティティーを解放することは、
前記ＲＬＣエンティティーがロングタームエボリューションＬＴＥ仕様のＲＬＣエンティティーである場合、前記ＲＬＣエンティティーを再確立した後、前記ＲＬＣエンティティーを解放すること、および、
前記ＲＬＣエンティティーがニューラジオＮＲ仕様のＲＬＣエンティティーである場合、前記ＲＬＣエンティティーを直接に解放すること、のうちの少なくとも１つを含む、請求項３に記載のサービスノードの更新方法。
【請求項５】
前記端末機器によって前記第１の接続配置情報が既に用いられたかを示すための指示情報を前記ソースノードに送信することをさらに含む、請求項１〜４のいずれか１項に記載のサービスノードの更新方法。
【請求項６】
指示情報を前記ソースノードに送信することは、具体的に、
データパケットのＰＤＣＰサブヘッダーによって前記指示情報を前記ソースノードに送信することである、請求項５に記載のサービスノードの更新方法。
【請求項７】
指示情報を前記ソースノードに送信することは、具体的に、
前記第１の接続配置情報を用いて、前記端末機器と前記ソースノードの間のベアラが対応するレイヤ２プロトコルエンティティーを処理し、前記ベアラをソースノード分離型ベアラとして再配置した後、データパケットのＰＤＣＰサブヘッダーにおける指示情報を設定すること、および、
前記端末機器によって前記第１の接続配置情報が既に用いられたことを示すように、前記指示情報を前記ソースノードに送信することを含む、請求項５に記載のサービスノードの更新方法。
【請求項８】
前記ベアラが特定モードのベアラである場合、前記第２の接続配置情報を用いて、前記ベアラが対応するレイヤ２プロトコルエンティティーを処理し、前記ソースノード分離型ベアラをターゲットノードベアラとして再配置した後、前記サービスノードの更新方法は、
ＰＤＣＰ状態レポートを前記ターゲットノードに送信することをさらに含む、請求項１に記載のサービスノードの更新方法。
【請求項９】
ネットワーク側機器によって実行されるサービスノードの更新方法であって、
前記ネットワーク側機器がサービスノードの更新中のソースノードを含み、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を送信することを含む、サービスノードの更新方法。
【請求項１０】
サービスノードの更新中のターゲットノードを含むネットワーク側機器によって実行されるサービスノードの更新方法であって、
サービスノードの更新中にソースノードから送信された第１のソースノード状態変換メッセージと、ソースノード分離型ベアラから受信した第１のＰＤＣＰ  ＰＤＵを受信すること、
前記第１のソースノード状態変換メッセージと前記第１のＰＤＣＰ  ＰＤＵに基づいて、前記ターゲットノードにおけるＰＤＣＰエンティティーを送信する送信状態を更新すること、
前記ソースノードから送信された第２のソースノード状態変換メッセージと、ターゲットベアラから受信した第２のＰＤＣＰ  ＰＤＵを受信すること、および、
前記第２のソースノード状態変換メッセージと前記第２のＰＤＣＰ  ＰＤＵに基づいて、前記ターゲットノードにおけるＰＤＣＰエンティティーを受信する受信状態を更新すること、を含む、サービスノードの更新方法。
【請求項１１】
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を受信するための配置メッセージ受信モジュールと、
前記第１の接続配置情報を用いて、端末機器と前記ソースノードの間のベアラが対応するレイヤ２プロトコルエンティティーを処理し、前記ベアラをソースノード分離型ベアラとして再配置するための第１の再配置モジュールと、
前記第２の接続配置情報を用いて、前記ベアラが対応するレイヤ２プロトコルエンティティーを処理し、前記ソースノード分離型ベアラをターゲットノードベアラとして再配置するための第２の再配置モジュールと、を備えた、端末機器。
【請求項１２】
前記第１の再配置モジュールは、
前記ソースノードのソースノードセルグループにおける前記ベアラのパケットデータコンバージェンスプロトコルＰＤＣＰエンティティーを再配置するための第１の再配置ユニットと、
前記ソースノードセルグループにおける前記ベアラの無線リンク制御ＲＬＣエンティティーを不変のままに維持するための第１の維持ユニットと、
前記ソースノードセルグループにおける前記ベアラの媒体アクセス制御ＭＡＣエンティティーを不変のままに維持するための第２の維持ユニットと、
前記ターゲットノードのターゲットノードセルグループにおける前記ベアラのＲＬＣエンティティーを確立するための第１の確立ユニットと、
前記ターゲットノードセルグループにおける前記ベアラのＭＡＣエンティティーを確立するための第２の確立ユニットと、を含む、請求項１１に記載の端末機器。
【請求項１３】
前記第２の再配置モジュールは、
前記ソースノードのソースノードセルグループにおける前記ベアラのＰＤＣＰエンティティーを、前記ターゲットノードのターゲットノードセルグループにおけるＰＤＣＰエンティティーとして再配置するための第２の再配置ユニットと、
前記ソースノードセルグループにおける前記ベアラのＲＬＣエンティティーを解放するための第１の解放ユニットと、
前記ソースノードセルグループにおける前記ベアラのＭＡＣエンティティーを解放するための第２の解放ユニットと、
前記ターゲットノードセルグループにおける前記ベアラのＲＬＣエンティティーを不変のままに維持するための第３の維持ユニットと、
前記ターゲットノードセルグループにおける前記ベアラのＭＡＣエンティティーを不変のままに維持するための第４の維持ユニットと、を含む、請求項１１に記載の端末機器。
【請求項１４】
サービスノードの更新中のソースノードを含み、
サービスノードの更新中にソースノードとターゲットノードとの接続を同時に維持するための第１の接続配置情報と、前記ソースノードとの接続を解放して前記ターゲットノードと接続するための第２の接続配置情報とを含む配置情報を送信するための配置情報送信モジュールをさらに含む、ネットワーク側機器。
【請求項１５】
サービスノードの更新中のターゲットノードを含み、
サービスノードの更新中にソースノードから送信された第１のソースノード状態変換メッセージと、ソースノード分離型ベアラから受信した第１のＰＤＣＰ  ＰＤＵを受信するための第１のソースノード状態変換メッセージおよびＰＤＣＰ  ＰＤＵ受信モジュールと、
前記第１のソースノード状態変換メッセージと前記第１のＰＤＣＰ  ＰＤＵに基づいて、前記ターゲットノードにおけるＰＤＣＰエンティティーを送信する送信状態を更新するための送信状態更新モジュールと、
前記ソースノードから送信された第２のソースノード状態変換メッセージと、ターゲットベアラから受信した第２のＰＤＣＰ  ＰＤＵを受信するための第２のソースノード状態変換メッセージおよびＰＤＣＰ  ＰＤＵ受信モジュールと、
前記第２のソースノード状態変換メッセージと前記第２のＰＤＣＰ  ＰＤＵに基づいて、前記ターゲットノードにおけるＰＤＣＰエンティティーを受信する受信状態を更新するための受信状態更新モジュールと、を含む、ネットワーク側機器。
【国際調査報告】
2021533703.tif 000015
2021533703.tif 000016
2021533703.tif 000017
2021533703.tif 000018
2021533703.tif 000019